(57)【特許請求の範囲】
【請求項１】
基地局装置と通信する端末装置であって、
第１のセルグループと第２のセルグループとを設定する上位層処理部と、
あるサブフレームにおいて、前記第１のセルグループにおける第１の物理上りリンクチャネルを生成する上りリンクサブフレーム生成部と、を備え、
前記第１のセルグループの前記第１の物理上りリンクチャネルの送信時期が前記第２のセルグループの第２の物理上りリンクチャネルの送信時期とオーバーラップする場合に、前記第１のセルグループにおける前記第１の物理上りリンクチャネルの電力は、少なくとも、前記端末装置の最大出力電力の合計から、前記第１のセルグループにおける第１の電力と前記第２のセルグループにおける第２の電力とを減算した値に基づいて決まる、端末装置。
【請求項２】
前記第１のセルグループがマスターセルグループであり、前記第２のセルグループがセカンダリーセルグループであり、前記第１の物理上りリンクチャネルが受信確認応答またはスケジューリングリクエストを含まないＵＣＩを含む物理上りリンク制御チャネルである場合、
前記第１の電力は、前記第１のセルグループにおける受信確認応答を含むＵＣＩを含む物理上りリンク制御チャネルの送信電力を少なくとも含み、
前記第２の電力は、前記第２のセルグループにおける受信確認応答を含むＵＣＩを含む物理上りリンク制御チャネルの送信電力、または、前記第２のセルグループにおける受信確認応答を含むＵＣＩを含む物理上りリンク共用チャネルの送信電力を少なくとも含む、請求項１に記載の端末装置。
【請求項３】
前記第１のセルグループがセカンダリーセルグループであり、前記第２のセルグループがマスターセルグループであり、前記第１の物理上りリンクチャネルが受信確認応答またはスケジューリングリクエストを含まないＵＣＩを含む物理上りリンク制御チャネルである場合、
前記第１の電力は、前記第１のセルグループにおける受信確認応答を含むＵＣＩを含む物理上りリンク制御チャネルの送信電力を少なくとも含み、
前記第２の電力は、前記第２のセルグループにおける物理上りリンク制御チャネルの送信電力、または、前記第２のセルグループにおけるＵＣＩを含む物理上りリンク共用チャネルの送信電力を少なくとも含む、請求項１に記載の端末装置。
【請求項４】
端末装置と通信する基地局装置であって、
第１のセルグループと第２のセルグループとを前記端末装置に設定する上位層処理部と、
あるサブフレームにおいて、前記第１のセルグループにおける第１の物理上りリンクチャネルを受信する受信部と、を備え、
前記第１のセルグループの前記第１の物理上りリンクチャネルの送信時期が前記第２のセルグループの第２の物理上りリンクチャネルの送信時期とオーバーラップする場合に、前記第１のセルグループにおける前記第１の物理上りリンクチャネルの電力は、少なくとも、前記端末装置の最大出力電力の合計から、前記第１のセルグループにおける第１の電力と前記第２のセルグループにおける第２の電力とを減算した値に基づいて決まる、基地局装置。
【請求項５】
前記第１のセルグループがマスターセルグループであり、前記第２のセルグループがセカンダリーセルグループであり、前記第１の物理上りリンクチャネルが受信確認応答またはスケジューリングリクエストを含まないＵＣＩを含む物理上りリンク制御チャネルである場合、
前記第１の電力は、前記第１のセルグループにおける受信確認応答を含むＵＣＩを含む物理上りリンク制御チャネルの送信電力を少なくとも含み、
前記第２の電力は、前記第２のセルグループにおける受信確認応答を含むＵＣＩを含む物理上りリンク制御チャネルの送信電力、または、前記第２のセルグループにおける受信確認応答を含むＵＣＩを含む物理上りリンク共用チャネルの送信電力を少なくとも含む、請求項４に記載の基地局装置。
【請求項６】
前記第１のセルグループがセカンダリーセルグループであり、前記第２のセルグループがマスターセルグループであり、前記第１の物理上りリンクチャネルが受信確認応答またはスケジューリングリクエストを含まないＵＣＩを含む物理上りリンク制御チャネルである場合、
前記第１の電力は、前記第１のセルグループにおける受信確認応答を含むＵＣＩを含む物理上りリンク制御チャネルの送信電力を少なくとも含み、
前記第２の電力は、前記第２のセルグループにおける物理上りリンク制御チャネルの送信電力、または、前記第２のセルグループにおけるＵＣＩを含む物理上りリンク共用チャネルの送信電力を少なくとも含む、請求項４に記載の基地局装置。
【請求項７】
基地局装置と通信する端末装置で用いられる通信方法であって、
第１のセルグループと第２のセルグループとを設定するステップと、
あるサブフレームにおいて、前記第１のセルグループにおける第１の物理上りリンクチャネルを生成するステップと、を有し、
前記第１のセルグループの前記第１の物理上りリンクチャネルの送信時期が前記第２のセルグループの第２の物理上りリンクチャネルの送信時期とオーバーラップする場合に、前記第１のセルグループにおける前記第１の物理上りリンクチャネルの電力は、少なくとも、前記端末装置の最大出力電力の合計から、前記第１のセルグループにおける第１の電力と前記第２のセルグループにおける第２の電力とを減算した値に基づいて決まる、通信方法。
【請求項８】
端末装置と通信する基地局装置で用いられる通信方法であって、
第１のセルグループと第２のセルグループとを前記端末装置に設定するステップと、
あるサブフレームにおいて、前記第１のセルグループにおける第１の物理上りリンクチャネルを受信するステップと、を有し、
前記第１のセルグループの前記第１の物理上りリンクチャネルの送信時期が前記第２のセルグループの第２の物理上りリンクチャネルの送信時期とオーバーラップする場合に、前記第１のセルグループにおける前記第１の物理上りリンクチャネルの電力は、少なくとも、前記端末装置の最大出力電力の合計から、前記第１のセルグループにおける第１の電力と前記第２のセルグループにおける第２の電力とを減算した値に基づいて決まる、通信方法。
【発明の詳細な説明】
【技術分野】
【０００１】
本発明は、効率的なチャネル状態情報の共有を実現する端末装置、基地局装置、および通信方法に関する。
本願は、２０１４年６月２０日に、日本に出願された特願２０１４−１２６９３３号に基づき優先権を主張し、その内容をここに援用する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うデュアルコネクティビティ（Ｄｕａｌ  Ｃｏｎｎｅｃｔｉｖｉｔｙ）技術（双対接続性技術）について検討されている（非特許文献１）。【０００５】
非特許文献１において、端末装置がセル半径（セルサイズ）の大きいセル（マクロセル）とセル半径の小さいセル（スモールセル（または、ピコセル））との間でデュアルコネクティビティを実現しようとするとき、マクロセルとスモールセル間のバックボーン回線（Ｂａｃｋｈａｕｌ（バックホール））が低速であり、遅延が発生することを前提としたネットワークでの検討が進められている。すなわち、マクロセルとスモールセル間での制御情報またはユーザ情報のやり取りが遅延することによって、従来では実現できていた機能が実現できない、または実現が困難となる可能性がある。【０００６】
また、非特許文献２では、端末装置が、高速バックホールで連結されている複数のセルに対して同時に接続する際に、セルにおけるチャネル状態情報をフィードバックする方法が記載されている。
【先行技術文献】
【非特許文献】
【０００７】
【非特許文献１】Ｒ２−１３０４４４，ＮＴＴ  ＤＯＣＯＭＯ，３ＧＰＰ  ＴＳＧ  ＲＡＮ２＃８１，Ｊａｎｕａｒｙ  ２８ｔｈ  −  Ｆｅｂｒｕａｒｙ  １ｓｔ，２０１３。
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １０）、２０１３年２月、３ＧＰＰ  ＴＳ  ３６．２１３  Ｖ１１．２．０  （２０１３−２）。
【発明の概要】
【発明が解決しようとする課題】
【０００８】
高速バックホールで連結されている複数のセルに対して同時に接続する際に、端末装置が基地局装置に、各セルにおける送信電力を一括して制御することができる。しかしながら、低速バックホールをサポートするデュアルコネクティビティを用いる場合、セル間での情報共有が制限されるため、従来の送信電力制御方法をそのまま用いることができない。【０００９】
本発明のいくつかの態様は上記の点に鑑みてなされたものであり、その目的は、バックホール速度によらず効率的に送信電力制御を制御することができる端末装置、基地局装置、および通信方法を提供することである。
【課題を解決するための手段】
【００１０】
（１）上記の目的を達成するために、本発明は、以下のような手段を講じた。すなわち、本発明の一様態による端末装置は、第１のセルグループと第２のセルグループとを用いて、基地局装置と通信する端末装置であって、あるサブフレームにおける前記第１のセルグループの最大出力電力に基づいて、チャネルおよび／または信号を送信する送信部を備える。前記あるサブフレームとオーバーラップする後方のサブフレームにおける前記第２のセルグループの上りリンク送信に関する情報を認識する場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの上りリンク送信に基づいて決まる電力との最大値である。【００１１】
（２）また、本発明の一様態による端末装置は、第１のセルグループと第２のセルグループとを用いて、基地局装置と通信する端末装置であって、あるサブフレームにおける前記第１のセルグループの最大出力電力に基づいて、チャネルおよび／または信号を送信する送信部を備える。前記あるサブフレームとオーバーラップする後方のサブフレームにおける前記第２のセルグループの上りリンク送信に関する情報を認識しない場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。【００１２】
（３）また、本発明の一様態による端末装置は、第１のセルグループと第２のセルグループとを用いて、基地局装置と通信する端末装置であって、あるサブフレームにおける前記第１のセルグループの最大出力電力に基づいて、チャネルおよび／または信号を送信する送信部を備える。前記あるサブフレームとオーバーラップする後方のサブフレームにおける前記第２のセルグループの上りリンク送信に関する情報を認識しない場合、前記第１のセルグループの最大出力電力は、前記端末装置の最大出力電力の合計から、前記第２のセルグループに対する電力を減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。【００１３】
（４）また、本発明の一様態による基地局装置は、第１のセルグループと第２のセルグループとを用いて、端末装置と通信する基地局装置であって、あるサブフレームにおける前記第１のセルグループの最大出力電力に基づいて、チャネルおよび／または信号を受信する受信部を備える。前記あるサブフレームとオーバーラップする後方のサブフレームにおける前記第２のセルグループの上りリンク送信に関する情報を認識する場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの上りリンク送信に基づいて決まる電力との最大値である。【００１４】
（５）また、本発明の一様態による基地局装置は、第１のセルグループと第２のセルグループとを用いて、端末装置と通信する基地局装置であって、あるサブフレームにおける前記第１のセルグループの最大出力電力に基づいて、チャネルおよび／または信号を受信する受信部を備える。前記あるサブフレームとオーバーラップする後方のサブフレームにおける前記第２のセルグループの上りリンク送信に関する情報を認識しない場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。【００１５】
（６）また、本発明の一様態による基地局装置は、第１のセルグループと第２のセルグループとを用いて、端末装置と通信する基地局装置であって、あるサブフレームにおける前記第１のセルグループの最大出力電力に基づいて、チャネルおよび／または信号を受信する受信部を備える。前記あるサブフレームとオーバーラップする後方のサブフレームにおける前記第２のセルグループの上りリンク送信に関する情報を認識しない場合、前記第１のセルグループの最大出力電力は、前記端末装置の最大出力電力の合計から、前記第２のセルグループに対する電力を減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。【００１６】
（７）また、本発明の一様態による通信方法は、第１のセルグループと第２のセルグループとを用いて、基地局装置と通信する端末装置で用いられる通信方法であって、あるサブフレームにおける前記第１のセルグループの最大出力電力に基づいて、チャネルおよび／または信号を送信するステップを有する。前記あるサブフレームとオーバーラップする後方のサブフレームにおける前記第２のセルグループの上りリンク送信に関する情報を認識する場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの上りリンク送信に基づいて決まる電力との最大値である。【００１７】
（８）また、本発明の一様態による通信方法は、第１のセルグループと第２のセルグループとを用いて、基地局装置と通信する端末装置で用いられる通信方法であって、あるサブフレームにおける前記第１のセルグループの最大出力電力に基づいて、チャネルおよび／または信号を送信するステップを有する。前記あるサブフレームとオーバーラップする後方のサブフレームにおける前記第２のセルグループの上りリンク送信に関する情報を認識しない場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。【００１８】
（９）また、本発明の一様態による通信方法は、第１のセルグループと第２のセルグループとを用いて、基地局装置と通信する端末装置で用いられる通信方法であって、あるサブフレームにおける前記第１のセルグループの最大出力電力に基づいて、チャネルおよび／または信号を送信するステップを有する。前記あるサブフレームとオーバーラップする後方のサブフレームにおける前記第２のセルグループの上りリンク送信に関する情報を認識しない場合、前記第１のセルグループの最大出力電力は、前記端末装置の最大出力電力の合計から、前記第２のセルグループに対する電力を減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。
【発明の効果】
【００１９】
この発明のいくつかの態様によれば、基地局装置と端末装置が通信する無線通信システムにおいて、伝送効率を向上させることができる。
【図面の簡単な説明】
【００２０】
【図１】第１の実施形態に係る下りリンクの無線フレーム構成の一例を示す図である。
【図２】第１の実施形態に係る上りリンクの無線フレーム構成の一例を示す図である。
【図３】第１の実施形態に係るデュアルコネクティビティの基本構造を示す図である。
【図４】第１の実施形態に係るデュアルコネクティビティの基本構造を示す図である。
【図５】第１の実施形態に係る基地局装置のブロック構成の一例を示す図である。
【図６】第１の実施形態に係る端末装置のブロック構成の一例を示す図である。
【図７】第１の実施形態に係るコネクティビティグループの一例を示す図である。
【図８】第１の実施形態に係るコネクティビティグループにおけるＣＳＩの生成と報告の一例を示す図である。
【図９】第１の実施形態に係る周期的ＣＳＩ報告の一例を示す図である。
【図１０】第２実施形態に係る端末装置のブロック構成の一例を示す図である。
【図１１】第２の実施形態に係る周期的ＣＳＩ報告の一例を示す図である。
【図１２】デュアルコネクティビティにおける上りリンク送信のサブフレームの一例を示す図である。
【発明を実施するための形態】
【００２１】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００２２】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００２３】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２４】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２５】
なお、ここでは図示していないが、下りリンクサブフレームには、同期シグナル（Ｓｙｎｃｈｒｏｎｉｚａｔｉｏｎ  Ｓｉｇｎａｌｓ）や物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。
【００２６】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００２７】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００２８】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００２９】
報知情報として、セル個別の識別子を示すセルグローバル識別子（ＣＧＩ；  Ｃｅｌｌ  Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３０】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００３２】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３３】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３４】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３５】
ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００３６】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３７】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００３８】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００３９】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４０】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４１】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００４２】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００４３】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００４４】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００４５】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００４６】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００４７】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００４８】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００４９】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００５０】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００５１】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００５２】
言い換えると、キャリアアグリゲーション（キャリア・アグリゲーションとも称す）において、設定された複数のサービングセルは、１つのプライマリセルと１つまたは複数のセカンダリセルとを含む。
【００５３】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリ周波数でオペレーションする。コネクションが（再）構築された時点、または、その後に、セカンダリセルが設定されてもよい。セカンダリセルは、セカンダリ周波数でオペレーションする。なお、コネクションは、ＲＲＣコネクションと称されてもよい。ＣＡをサポートしている端末装置に対して、１つのプライマリセルと１つ以上のセカンダリセルで集約される。
【００５４】
図３および図４を用いてデュアルコネクティビティの基本構造（アーキテクチャー）について説明する。図３および図４は、端末装置１が、複数の基地局装置２（図中では基地局装置２−１、基地局装置２−２で示す）と同時に接続していることを示している。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００５５】
なお、キャリア・アグリゲーションは、複数のセルを一つの基地局装置２が管理し、各セルの周波数が異なるという点がデュアルコネクティビティと異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００５６】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００５７】
図３および図４において、基地局装置２−１または基地局装置２−２は、ＭＭＥ３００とＳＧＷ４００とバックボーン回線で接続されている。ＭＭＥ３００は、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷ４００は、Ｓｅｒｖｉｎｇ  Ｇａｔｅｗａｙ（Ｓ−ＧＷ）に対応する上位の制御局装置であり、ＭＭＥ３００によって設定された端末装置１へのユーザデータの経路に従ってユーザデータを伝送する役割などを持つ。
【００５８】
また、図３および図４において、基地局装置２−１または基地局装置２−２とＳＧＷ４００の接続経路は、ＳＧＷインターフェースＮ１０と称される。また、基地局装置２−１または基地局装置２−２とＭＭＥ３００の接続経路は、ＭＭＥインターフェースＮ２０と称される。また、基地局装置２−１と基地局装置２−２の接続経路は、基地局インターフェースＮ３０と称される。ＳＧＷインターフェースＮ１０は、ＥＵＴＲＡにおいてＳ１−Ｕインターフェースとも称される。また、ＭＭＥインターフェースＮ２０は、ＥＵＴＲＡにおいてＳ１−ＭＭＥインターフェースとも称される。また、基地局インターフェースＮ３０は、ＥＵＴＲＡにおいてＸ２インターフェースとも称される。
【００５９】
デュアルコネクティビティを実現するアーキテクチャーとして、図３のような構成をとることができる。図３において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。また、基地局装置２−１は、基地局インターフェースＮ３０を介して、基地局装置２−２へＭＭＥ３００、および／またはＳＧＷ４００との通信経路を提供する。換言すると、基地局装置２−２は、基地局装置２−１を経由してＭＭＥ３００、および／またはＳＧＷ４００と接続されている。
【００６０】
また、デュアルコネクティビティを実現する別のアーキテクチャーとして、図４のような構成をとることができる。図４において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。基地局装置２−１は、基地局インターフェースＮ３０を介して、基地局装置２−２へＭＭＥ３００との通信経路を提供する。換言すると、基地局装置２−２は、基地局装置２−１を経由してＭＭＥ３００と接続されている。また、基地局装置２−２は、ＳＧＷインターフェースＮ１０を介してＳＧＷ４００と接続されている。
【００６１】
なお、基地局装置２−２とＭＭＥ３００が、ＭＭＥインターフェースＮ２０によって直接接続されるような構成であってもよい。
【００６２】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００６３】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００６４】
デュアルコネクティビティにおいて、プライマリセルは、ＭＣＧに属する。また、ＳＣＧにおいて、プライマリセルに相当するセカンダリセルをプライマリセカンダリセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳまたはＵＳＳとは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【００６５】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００６６】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００６７】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００６８】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｔｒａｎｓｍｉｓｓｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００６９】
図５は、本実施形態に係る基地局装置２−１および基地局装置２−２のブロック構成の一例を示す概略図である。基地局装置２−１および基地局装置２−２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部）５１１を有する。
【００７０】
図６は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【００７１】
まず、図５および図６を用いて、下りリンクデータの送受信の流れについて説明する。基地局装置２−１あるいは基地局装置２−２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【００７２】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、ト��ンスポートブロック抽出部６０５では、トランスポートブロックが正しく検出できたか否かを判定し、判定結果は制御部６０６に送られる。
【００７３】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。ここで、ＰＵＣＣＨおよびＰＵＣＣＨを含む上りリンクサブフレームは、コネクティビティグループ（サービングセルグループあるいはセルグループとも称す）毎に生成される。なお、コネクティビティグループの詳細については後述するが、ここでは２つのコネクティビティグループを想定し、それぞれ、基地局装置２−１および基地局装置２−２に対応するものとする。１つのコネクティビティグループにおける上りリンクサブフレーム（例えば基地局装置２−１に送信される上りリンクサブフレーム）は、ＳＣ−ＦＤＭＡ信号送信部６１１において、ＳＣ−ＦＤＭＡ変調が施されＳＣ−ＦＤＭＡ信号が生成され、送信アンテナ６１３を介して送信される。他の１つのコネクティビティグループにおける上りリンクサブフレーム（例えば基地局装置２−２に送信される上りリンクサブフレーム）は、ＳＣ−ＦＤＭＡ信号送信部６１２において、ＳＣ−ＦＤＭＡ変調が施されＳＣ−ＦＤＭＡ信号が生成され、送信アンテナ６１４を介して送信される。また、２つ以上のコネクティビティグループにおける上りリンクサブフレームを、１つのサブフレームを用いて同時に送信することもできる。
【００７４】
基地局装置２−１および基地局装置２−２では、それぞれ１つのコネクティビティグループにおける上りリンクサブフレームを受信する。具体的には、受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。
【００７５】
図７は、コネクティビティグループ（セルグループ）の一例を示している。基地局装置２−１および基地局装置２−２と端末装置１とが、複数のサービングセル（セル＃０、セル＃１、セル＃２およびセル＃３）において通信を行っている。セル＃０は、プライマリセルであり、それ以外のセルであるセル＃１、セル＃２およびセル＃３はセカンダリセルである。４つのセルは、実際は異なる２つの基地局装置である基地局装置２−１および基地局装置２−２によりカバーされている（提供されている）。セル＃０とセル＃１は基地局装置２−１によってカバーされ、セル＃２とセル＃３は基地局装置２−２によってカバーされている。各サービングセルは、複数のグループに分類され、それぞれのグループをコネクティビティグループと呼称する。ここで、低速度のバックホールを跨ぐサービングセルを異なるグループに分類し、高速度のバックホールを用いることができるサービングセル、あるいは、同一の装置で提供されるためにバックホールを用いる必要がないサービングセルを、同一のグループに分類してもよい。プライマリセルが属すコネクティビティグループのサービングセルをマスターセル、他のコネクティビティグループのサービングセルをアシスタントセルと呼ぶことができる。また、各コネクティビティグループの中の１つのサービングセル（例えばコネクティビティグループの中でセルインデクスが最小であるサービングセル）は、プライマリセカンダリセルあるいは略してＰＳセル（ｐＳＣｅｌｌとも記載される）と呼ぶことができる。なお、コネクティビティ内の各サービングセルは、異なるキャリア周波数のコンポーネントキャリアを有している。一方、異なるコネクティビティグループのサービングセルは、互いに異なるキャリア周波数のコンポーネントキャリアを有することもできるし、同じキャリア周波数のコンポーネントキャリアを有することもできる（同一のキャリア周波数を設定可能である）。例えば、セル＃１が有する下りリンクコンポーネントキャリアおよび上りリンクコンポーネントキャリアのキャリア周波数は、セル＃０のそれらとは異なる。一方、セル＃２が備える下りリンクコンポーネントキャリアおよび上りリンクコンポーネントキャリアのキャリア周波数は、セル＃０のそれらとは異なってもよいし、同じでもよい。また、ＳＲはコネクティビティグループ毎に送信されることが好ましい。プライマリセルを含むサービングセルグループをマスターセルグループ、プライマリセルを含まない（プライマリセカンダリセルを含む）サービングセルグループをセカンダリグループと呼ぶこともできる。
【００７６】
なお、端末装置１と基地局装置２は、サービングセルをグループ化する方法として、例えば、下記の（１）から（５）の何れかの方法を用いることができる。尚、（１）から（５）と別の方法を用いてコネクティビティグループを設定してもよい。
（１）各サービングセルには、コネクティビティ識別子の値が設定され、同一のコネクティビティ識別子の値が設定されたサービングセルをグループと見なす。尚、プライマリセルのコネクティビティ識別子の値は設定されず、所定の値（例えば、０）であるものとしてもよい。 
（２）各セカンダリセルには、コネクティビティ識別子の値が設定され、同一のコネクティビティ識別子の値が設定されたセカンダリセルをグループと見なす。また、コネクティビティ識別子の値が設定されなかったセカンダリセルはプライマリセルと同じグループと見なす。
（３）各セカンダリセルには、ＳＴＡＧ（ＳＣｅｌｌ  Ｔｉｍｉｎｇ  Ａｄｖａｎｃｅｄ  Ｇｒｏｕｐ）識別子の値が設定され、同一のＳＴＡＧ識別子の値が設定されたセカンダリセルをグループと見なす。また、ＳＴＡＧ識別子が設定されなかったセカンダリセルはプライマリセルと同じグループと見なす。なお、このグループは、下りリンク受信に対する上りリンク送信のタイミング調整を行うためのグループと共用される。
（４）各セカンダリセルには、１から７のいずれかの値をセカンダリセルインデクス（サービングセルインデクス）として設定される。プライマリセルはサービングセルインデクスが０であるものとする。これらのサービングセルインデクスに基づいてグループ分けされる。例えば、セカンダリセルインデクスが１から４の場合プライマリセルと同じグループであると見なす一方、セカンダリセルインデクスが５から７の場合、プライマリセルとは異なるグループであると見なすことができる。
（５）各セカンダリセルには、１から７のいずれかの値をセカンダリセルインデクス（サービングセルインデクス）として設定される。プライマリセルはサービングセルインデクスが０であるものとする。また、基地局装置２から各グループに属するセルのサービングセルインデクスが通知される。
ここで、コネクティビティ識別子やＳＴＡＧ識別子やセカンダリセルインデクスは、専用ＲＲＣシグナリングを用いて、基地局装置２−１あるいは基地局装置２−２から端末装置１に設定されてもよい。
【００７７】
図８は、端末装置１のコネクティビティグループにおけるＣＳＩの生成と報告の一例を示している。基地局装置２−１および／または基地局装置２−２は、各サービングセルにおける下りリンク参照信号のパラメータを端末装置１に設定するとともに、提供する各サービングセルおいて下りリンク参照信号を送信する。端末装置１は、各サービングセルにおける下りリンク参照信号を受信し、チャネル測定および／または干渉測定を行う。なお、ここで言う下りリンク参照信号は、ＣＲＳと非ゼロ電力ＣＳＩ−ＲＳとゼロ電力ＣＳＩ−ＲＳとを含むことができる。好ましくは、端末装置１は非ゼロ電力ＣＳＩ−ＲＳを用いてチャネル測定を行い、ゼロ電力ＣＳＩ−ＲＳを用いて干渉測定を行う。さらに、チャネル測定結果と干渉測定結果とに基づき、好適なランクを示すＲＩや、好適なプレコーディング行列を示すＰＭＩや、参照リソースにおいて所要品質（例えばトランスポートブロック誤り率が０．１を超えない）を満たすような変調方式および符号化率に対応する最も大きいインデクスであるＣＱＩを算出する。
【００７８】
次に、端末装置１は、ＣＳＩを報告する。このとき、コネクティビティグループに属する各サービングセルのＣＳＩは、そのコネクティビティグループのセルにおいて、上りリンクリソース（ＰＵＣＣＨリソースまたはＰＵＳＣＨリソース）を用いて報告される。具体的には、あるサブフレームにおいて、セル＃０のＣＳＩとセル＃１のＣＳＩは、コネクティビティグループ＃０のＰＳセルでありプライマリセルでもあるセル＃０のＰＵＣＣＨを用いて送信される。また、あるサブフレームにおいて、セル＃０のＣＳＩとセル＃１のＣＳＩは、コネクティビティグループ＃０に属する何れか１つのセルのＰＵＳＣＨを用いて送信される。また、あるサブフレームにおいて、セル＃２のＣＳＩとセル＃３のＣＳＩは、コネクティビティグループ＃１のＰＳセルであるセル＃２のＰＵＣＣＨを用いて送信される。また、あるサブフレームにおいて、セル＃２のＣＳＩとセル＃３のＣＳＩは、コネクティビティグループ＃１に属する何れか１つのセルのＰＵＳＣＨを用いて送信される。いわば、各ＰＳセルは、従来のキャリア・アグリゲーションにおけるプライマリセル機能の一部（例えばＰＵＣＣＨを用いたＣＳＩの送信）を果たすことができる。各コネクティビティグループ内のサービングセルに対するＣＳＩ報告は、キャリア・アグリゲーションにおけるサービングセルに対するＣＳＩ報告と同様の振る舞いをする。
【００７９】
あるコネクティビティグループに属するサービングセルの周期的ＣＳＩに対するＰＵＣＣＨリソースは、同じコネクティビティグループのＰＳセルに設定される。基地局装置１は、ＰＳセルにおける周期的ＣＳＩに対するＰＵＣＣＨリソースを設定するための情報を、端末装置１に送信する。端末装置１は、ＰＳセルにおける周期的ＣＳＩに対するＰＵＣＣＨリソースが設定するための情報を受信した場合は、該ＰＵＣＣＨリソースを用いて周期的ＣＳＩの報告を行なう。基地局装置１は、ＰＳセル以外のセルにおける周期的ＣＳＩに対するＰＵＣＣＨリソースを設定するための情報を、端末装置１に送信しない。端末装置１は、ＰＳセル以外のセルにおける周期的ＣＳＩに対するＰＵＣＣＨリソースが設定するための情報を受信した場合は、エラーハンドリングを行ない、該ＰＵＣＣＨリソースを用いて周期的ＣＳＩの報告を行なわない。
【００８０】
図９は、周期的ＣＳＩ報告の一例を示している。周期的ＣＳＩは、専用ＲＲＣシグナリングで設定された周期のサブフレームにおいて、周期的に端末装置１から基地局装置２にフィードバックされる。また、周期的ＣＳＩは通常、ＰＵＣＣＨを用いて送信される。周期的ＣＳＩのパラメータ（サブフレームの周期および基準サブフレームから開始サブフレームへのオフセット、報告モード）は、サービングセル毎に個別に設定されることができる。周期的ＣＳＩに対するＰＵＣＣＨリソースのインデクスは、コネクティビティグループ毎に設定されることができる。ここでは、セル＃０、＃１、＃２および＃３における周期が、それぞれＴ１、Ｔ２、Ｔ３およびＴ４と設定されているものとする。端末装置１は、コネクティビティグループ＃０のＰＳセルでありプライマリセルでもあるセル＃０のＰＵＣＣＨリソースを用いて、セル＃０の周期的ＣＳＩをＴ１周期のサブフレームで上りリンク送信するとともに、セル＃１の周期的ＣＳＩをＴ２周期のサブフレームで上りリンク送信する。端末装置１は、コネクティビティグループ＃１のＰＳセルであるセル＃２のＰＵＣＣＨリソースを用いて、セル＃２の周期的ＣＳＩをＴ３周期のサブフレームで上りリンク送信するとともに、セル＃３の周期的ＣＳＩをＴ４周期のサブフレームで上りリンク送信する。１つのコネクティビティグループ内の複数のサービング間で周期的ＣＳＩ報告が衝突（１つのサブフレームにおいて複数の周期的ＣＳＩ報告が発生）した場合、１つの周期的ＣＳＩ報告だけを送信し、その他の周期的ＣＳＩ報告はドロップする（送信しない）。
【００８１】
また、いずれの上りリンクリソース（ＰＵＣＣＨリソースまたはＰＵＳＣＨリソース）を用いて、周期的ＣＳＩ報告および／またはＨＡＲＱ−ＡＣＫを送信するかの決定方法として、端末装置１は、次に示す方法を用いることができる。すなわち、端末装置１は、それぞれのコネクティビティグループにおいて、下記の（Ｄ１）から（Ｄ６）の何れかに従って周期的ＣＳＩ報告および／またはＨＡＲＱ−ＡＣＫを送信する上りリンクリソース（ＰＵＣＣＨリソースまたはＰＵＳＣＨリソース）を決定する。
（Ｄ１）端末装置１に対して１つより多くのサービングセルが設定されており、ＰＵＳＣＨとＰＵＣＣＨの同時送信が設定されていない場合、サブフレームｎにおいて、もしあるコネクティビティグループに対する上りリンク制御情報が周期的ＣＳＩのみを含み、コネクティビティグループ内でＰＵＳＣＨが送信されない場合、そのコネクティビティグループ内のＰＳセルのＰＵＣＣＨで、上りリンク制御情報が送信される。
（Ｄ２）端末装置１に対して１つより多くのサービングセルが設定されており、ＰＵＳＣＨとＰＵＣＣＨの同時送信が設定されていない場合、サブフレームｎにおいて、もしあるコネクティビティグループに対する上りリンク制御情報が周期的ＣＳＩおよび／またはＨＡＲＱ−ＡＣＫを含み、コネクティビティグループ内のＰＳセルでＰＵＳＣＨが送信される場合、そのコネクティビティグループ内のＰＳセルのＰＵＳＣＨで、上りリンク制御情報が送信される。
（Ｄ３）端末装置１に対して１つより多くのサービングセルが設定されており、ＰＵＳＣＨとＰＵＣＣＨの同時送信が設定されていない場合、サブフレームｎにおいて、もしあるコネクティビティグループに対する上りリンク制御情報が周期的ＣＳＩおよび／またはＨＡＲＱ−ＡＣＫを含み、コネクティビティグループ内のＰＳセルでＰＵＳＣＨが送信されず、かつそのコネクティビティグループ内のＰＳセル以外の少なくとも１つのセカンダリセルでＰＵＳＣＨを送信する場合、そのコネクティビティグループ内で最小のセルインデクスのセカンダリセルのＰＵＳＣＨで、上りリンク制御情報が送信される。
（Ｄ４）端末装置１に対して１つより多くのサービングセルが設定されており、ＰＵＳＣＨとＰＵＣＣＨの同時送信が設定されている場合、サブフレームｎにおいて、もしあるコネクティビティグループに対する上りリンク制御情報が周期的ＣＳＩのみを含む場合、そのコネクティビティグループ内のＰＳセルのＰＵＣＣＨで上りリンク制御情報が送信される。
（Ｄ５）端末装置１に対して１つより多くのサービングセルが設定されており、ＰＵＳＣＨとＰＵＣＣＨの同時送信が設定されている場合、サブフレームｎにおいて、もしあるコネクティビティグループに対する上りリンク制御情報が周期的ＣＳＩおよびＨＡＲＱ−ＡＣＫを含み、そのコネクティビティグループ内のＰＳセルでＰＵＳＣＨが送信される場合、そのコネクティビティグループ内のＰＳセルのＰＵＣＣＨでＨＡＲＱ−ＡＣＫが送信され、そのコネクティビティグループ内のＰＳセルのＰＵＳＣＨで周期的ＣＳＩが送信される。
（Ｄ６）端末装置１に対して１つより多くのサービングセルが設定されており、ＰＵＳＣＨとＰＵＣＣＨの同時送信が設定されている場合、サブフレームｎにおいて、もしあるコネクティビティグループに対する上りリンク制御情報が周期的ＣＳＩおよびＨＡＲＱ−ＡＣＫを含み、そのコネクティビティグループ内のＰＳセルでＰＵＳＣＨが送信されず、同じコネクティビティグループ内の少なくとも１つの他のセカンダリセルでＰＵＳＣＨが送信される場合、そのコネクティビティグループ内のＰＳセルのＰＵＣＣＨでＨＡＲＱ−ＡＣＫが送信され、そのコネクティビティグループ内で最小のセカンダリセルインデクスのセカンダリセルのＰＵＳＣＨで周期的ＣＳＩが送信される。
【００８２】
このように、端末装置１とそれぞれ１つ以上のサービングセルを用いて通信する複数の基地局装置２とを有する通信システムにおいて、端末装置１は、上位層制御情報取得部において、サービングセル毎のコネクティビティ識別子を設定し、チャネル状態情報生成部において、サービングセル毎の周期的チャネル状態情報を算出する。１つのサブフレームにおいて、コネクティビティ識別子が同じ値を持つサービングセルの周期的チャネル状態情報の報告が衝突する場合、上りリンク制御情報生成部において、１つ以外の周期的チャネル状態情報をドロップして、上りリンク制御情報を生成し、上りリンク制御情報送信部において、上りリンク制御情報を含む上りリンクサブフレームを送信する。基地局装置２−１と基地局装置２−２のうちの少なくともいずれかは、上位層制御情報通知部において、サービングセル毎のコネクティビティ識別子として、複数の基地局装置のそれぞれに対応する値（例えば、基地局装置２−１のサービングセルに対しては第１の値、基地局装置２−２のサービングセルに対しては第２の値など）を設定する。また、基地局装置２−１と基地局装置２−１の各々は、上りリンク制御情報受信部において、上りリンクサブフレームを受信し、１つの上りリンクサブフレームにおいて、第１の基地局装置に対応するコネクティビティ識別子の値を持つ２つ以上のサービングセルの周期的チャネル状態情報の報告が衝突する場合、上りリンク制御情報抽出部において、衝突した周期的チャネル状態情報の中の１つの周期的チャネル状態情報のみを含む上りリンク制御情報を抽出する。好ましくは、各コネクティビティグループにおけるサービングセルのＣＳＩは、各コネクティビティグループのＰＳセルにおける上りリンクサブフレームで送受信される。
【００８３】
ここで、上位層制御情報通知部の機能は、基地局装置２−１と基地局装置２−２の両方が備えていてもよいし、片方のみが備えていてもよい。なお、片方のみが備えているとは、デュアルコネクティビティにおいて、基地局装置２−１と基地局装置２−２のいずれか一方から上位層制御情報が送信されることを意味し、基地局装置２−１または基地局装置２−２が上位層制御情報通知部そのものを持たない構成をとることを意味しない。基地局装置２−１および基地局装置２−２はバックホール送受信機構を有しており、基地局装置２−１が提供するサービングセルに関連する設定（これらのサービングセルのコネクティビティグループ設定を含む）を、基地局装置２−２が行う場合、基地局装置２−１はその設定を示す情報をバックホールを介して基地局装置２−２に送信し、基地局装置２−２はバックホールを介して受信した情報に基づいて、設定（基地局装置２−２内の設定、あるいは端末装置１へのシグナリング）を行う。逆に、基地局装置２−２が提供するサービングセルに関連する設定を、基地局装置２−１が行う場合、基地局装置２−２はその設定を示す情報をバックホールを介して基地局装置２−１に送信し、基地局装置２−１はバックホールを介して受信した情報に基づいて、設定（基地局装置２−１内の設定、あるいは端末装置１へのシグナリング）を行う。あるいは、上位層制御情報通知部の機能の一部を基地局装置２−２が担い、その他の機能を基地局装置２−１が担うようにしてもよい。この場合、基地局装置２−１をマスター基地局装置と呼び、基地局装置２−２をアシスト基地局装置と呼ぶことができる。アシスト基地局装置は、アシスト基地局装置が提供するサービングセルに関連する設定（これらのサービングセルのコネクティビティグループ設定を含む）を端末装置１に提供することができる。一方、マスター基地局装置は、マスター基地局装置が提供するサービングセルに関連する設定（これらのサービングセルのコネクティビティグループ設定を含む）を端末装置１に提供することができる。
【００８４】
端末装置１は、基地局装置２−１のみと通信を行っていると認識することができる。すなわち、上位層制御情報取得部は、基地局装置２−１および基地局装置２−２から通知される上位層制御情報を基地局装置２−１から通知されているものとして取得することができる。あるいは、端末装置１は，基地局装置２−１および基地局装置２−１という２つの基地局装置と通信を行っていると認識することもできる。すなわち、上位層制御情報取得部は、基地局装置２−１から通知される上位層制御情報および基地局装置２−２から通知される上位層制御情報を取得し、これらを結合（マージ）することができる。
【００８５】
これにより、各々の基地局装置２は、他の基地局装置２を経由することなく、所望の周期的ＣＳＩ報告を端末装置１から直接受信することができる。そのため、基地局装置２同士が低速度のバックホールで互いに接続されているような場合であっても、時宜にかなった周期的ＣＳＩ報告を用いてスケジューリングを行うことができる。
【００８６】
次に、非周期的ＣＳＩ報告について説明する。非周期的ＣＳＩ報告は、ＰＤＣＣＨやＥＰＤＣＣＨで送られる上りリンクグラントにおけるＣＳＩリクエストフィールドを用いて指示され、ＰＵＳＣＨを用いて送信される。より具体的には、基地局装置２−１あるいは基地局装置２−２は、まずｎ種類（ｎは自然数）のサービングセルの組み合わせ（あるいはＣＳＩプロセスの組み合わせ）を、専用ＲＲＣシグナリングを用いて端末装置１に設定する。ＣＳＩリクエストフィールドはｎ＋２種類の状態を表現することができる。状態は、それぞれ非周期的ＣＳＩ報告をフィードバックしない、上りリンクグラントで割り当てられるサービングセルにおける（あるいは上りリンクグラントで割り当てられるサービングセルのＣＳＩプロセスにおける）ＣＳＩ報告をフィードバックする、および予め設定されたｎ種類（ｎは自然数）のサービングセルの組み合わせ（あるいはＣＳＩプロセスの組み合わせ）におけるＣＳＩ報告をフィードバックすることを示している。基地局装置２−１あるいは基地局装置２−２は、所望のＣＳＩ報告に基づいてＣＳＩリクエストフィールドの値を設定し、端末装置１はＣＳＩリクエストフィールドの値に基づいて、いずれのＣＳＩ報告を行うかを判断し、ＣＳＩ報告を行う。基地局装置２−１あるいは基地局装置２−２は、所望のＣＳＩ報告を受信する。
【００８７】
デュアルコネクティビティ時の非周期的ＣＳＩ報告のひとつの例としては、ｎ種類（ｎは自然数）のサービングセルの組み合わせ（あるいはＣＳＩプロセスの組み合わせ）を、コネクティビティグループ毎に設定する。例えば、基地局装置２−１あるいは基地局装置２−２は、ｎ種類（ｎは自然数）のコネクティビティグループ＃０内のサービングセルの組み合わせ（あるいはコネクティビティグループ＃０内のＣＳＩプロセスの組み合わせ）と、ｎ種類（ｎは自然数）のコネクティビティグループ＃１内のサービングセルの組み合わせ（あるいはコネクティビティグループ＃０内のＣＳＩプロセスの組み合わせ）とを端末装置１に設定する。基地局装置２−１あるいは基地局装置２−２は、所望のＣＳＩ報告に基づいてＣＳＩリクエストフィールドの値を設定する。端末装置１は、非周期的ＣＳＩ報告を要求する上りリンクグラントでＰＵＳＣＨリソースが割り当てられるサービングセルがいずれのコネクティビティグループに属すかを判断し、非周期的ＣＳＩ報告を要求する上りリンクグラントでＰＵＳＣＨリソースが割り当てられるサービングセルが属すコネクティビティグループに対応するｎ種類（ｎは自然数）のサービングセルの組み合わせ（あるいはＣＳＩプロセスの組み合わせ）を用いて、いずれのＣＳＩ報告を行うかを判断し、非周期的ＣＳＩ報告を要求する上りリンクグラントで割り当てられたＰＵＳＣＨで非周期的ＣＳＩ報告を行う。基地局装置２−１あるいは基地局装置２−２は、所望のＣＳＩ報告を受信する。
【００８８】
デュアルコネクティビティ時の非周期的ＣＳＩ報告の他の例としては、１つのｎ種類（ｎは自然数）のサービングセルの組み合わせ（あるいはＣＳＩプロセスの組み合わせ）を設定する。ｎ種類（ｎは自然数）のサービングセルの組み合わせ（あるいはＣＳＩプロセスの組み合わせ）の各々は、いずれかのコネクティビティグループに属すサービングセル（あるいはコネクティビティグループに属すサービングセルのＣＳＩプロセス）の組み合わせに限定される。基地局装置２−１あるいは基地局装置２−２は、所望の非周期的ＣＳＩ報告に基づいてＣＳＩリクエストフィールドの値を設定し、端末装置１はＣＳＩリクエストフィールドの値に基づいて、いずれの非周期的ＣＳＩ報告を行うかを判断し、非周期的ＣＳＩ報告を行う。基地局装置２−１あるいは基地局装置２−２は、所望の非周期的ＣＳＩ報告を受信する。
【００８９】
これにより、各々の基地局装置２は、他の基地局装置２を経由することなく、所望の非周期的ＣＳＩ報告を端末装置１から直接受信することができる。また、各ＰＵＳＣＨは、１つのコネクティビティグループに属すサービングセル（あるいはコネクティビティグループに属すサービングセルのＣＳＩプロセス）の非周期的ＣＳＩ報告のみを含むため、他の基地局装置２の設定に依存しない非周期的ＣＳＩ報告を端末装置１から受信することができる。そのため、基地局装置２同士が低速度のバックホールで互いに接続されているような場合であっても、時宜にかなった非周期的ＣＳＩ報告を用いてスケジューリングを行うことができる。
【００９０】
次に、デュアルコネクティビティにおける端末装置１の上りリンク電力制御について説明する。ここで、上りリンク電力制御とは、上りリンク送信における電力制御を含む。上りリンク送信とは、ＰＵＳＣＨ、ＰＵＣＣＨ、ＰＲＡＣＨ、ＳＲＳなど、上りリンク信号／上りリンク物理チャネルの送信を含む。なお、以下の説明において、ＭｅＮＢが、ＭｅＮＢとＳｅＮＢの両方に関連するパラメータを一括して通知（設定）してもよい。ＳｅＮＢが、ＭｅＮＢとＳｅＮＢの両方に関連するパラメータを一括して通知（設定）してもよい。ＭｅＮＢとＳｅＮＢが、ＭｅＮＢとＳｅＮＢのそれぞれに関連するパラメータを個別に通知（設定）してもよい。
【００９１】
図１２は、デュアルコネクティビティにおける上りリンク送信のサブフレームの一例を示す図である。この例において、ＭＣＧにおける上りリンク送信のタイミングと、ＭＣＧにおける上りリンク送信のタイミングとは異なっている。例えば、ＭＣＧのサブフレームｉは、ＳＣＧのサブフレームｉ−１と、ＳＣＧのサブフレームｉにオーバーラップしている。ＳＣＧのサブフレームｉは、ＭＣＧのサブフレームｉと、ＭＣＧのサブフレームｉ＋１にオーバーラップしている。そのため、デュアルコネクティビティにおいて、あるセルグループにおける上りリンク送信の送信電力制御は、他方のセルグループにおいてオーバーラップしている２つのサブフレームの送信電力を考慮することが好ましい。
【００９２】
端末装置１は、プライマリセルを含むＭＣＧとプライマリセカンダリセルを含むＳＣＧで、上りリンク電力制御を個別に行なってもよい。なお、上りリンク電力制御は、上りリンク送信に対する送信電力制御を含む。上りリンク電力制御は、端末装置１の送信電力制御を含む。
【００９３】
端末装置１は、上位層の個別シグナリングおよび／または上位層の共通シグナリング（例えば、ＳＩＢ：  Ｓｙｓｔｅｍ  Ｉｎｆｏｒｍａｔｉｏｎ  Ｂｌｏｃｋ）を用いて、端末装置１の最大許可出力電力PEMAXが設定される。なお、この最大許可出力電力は、上位層の最大出力電力と称されてもよい。例えば、サービングセルｃにおける最大許可出力電力であるPEMAX,cは、サービングセルｃに対して設定されるＰ−Ｍａｘによって与えられる。つまり、サービングセルｃにおいて、PEMAX,cはＰ−Ｍａｘと同じ値である。
【００９４】
端末装置１は、周波数バンド毎に端末装置１のパワークラスPPowerClassが予め規定される。パワークラスは、予め規定される許容誤差を考慮しないで規定される最大出力電力である。例えば、パワークラスは、２３ｄＢｍとして規定される。予め規定されたパワークラスに基づいて、最大出力電力がＭＣＧとＳＣＧとで個別に設定されてもよい。なお、パワークラスは、ＭＣＧとＳＣＧとで独立に規定されてもよい。
【００９５】
端末装置１に対して、サービングセル毎に設定最大出力電力が設定される。端末装置１に対して、サービングセルｃに対する設定最大出力電力PCMAX,cが設定される。PCMAXはPCMAX,cの合計である。なお、設定最大出力電力は、物理層の最大出力電力と称されてもよい。
【００９６】
PCMAX,cは、PCMAX_L,c以上PCMAX_H,c以下の値である。例えば、端末装置１は、その範囲内でPCMAX,cをセットする。PCMAX_H,cは、PEMAX,cとPPowerClassとの最小値である。PCMAX_L,cは、PEMAX,cに基づく値とPPowerClassに基づく値との最小値である。PPowerClassに基づく値は、PPowerClass-からＭＰＲ（Maximum power reduction）に基づく値を減算した値である。ＭＰＲは、最大出力電力のための最大電力低減であり、送信する上りリンクチャネルおよび／または上りリンク信号の変調方式および送信帯域幅の設定に基づいて決まる。それぞれのサブフレームにおいて、ＭＰＲは、スロット毎に評価され、そのスロット内の送信にわたって得られる最大値によって与えられる。サブフレーム内の２つのスロットにおける最大のＭＰＲがそのサブフレーム全体のために適用される。すなわち、ＭＰＲはサブフレーム毎に異なる場合があるため、PCMAX_L,cもサブフレーム毎に異なる可能性がある。結果として、PCMAX,cもサブフレーム毎に異なる可能性がある。
【００９７】
端末装置１は、ＭｅＮＢ（ＭＣＧ）とＳｅＮＢ（ＳＣＧ）のそれぞれに対して、PCMAXを設定または決定できる。すなわち、セルグループ毎に電力割り当ての合計が設定または決定できる。ＭｅＮＢに対する設定最大出力電力の合計はPCMAX,MeNBと定義され、ＭｅＮＢに対する電力割り当ての合計はPalloc_MeNBと定義される。ＳｅＮＢに対する設定最大出力電力の合計はPCMAX,SeNBと定義され、ＳｅＮＢに対する電力割り当ての合計はPalloc_SeNBと定義される。PCMAX,MeNBとPalloc_MeNBは同じ値にすることができる。PCMAX,SeNBとPalloc_SeNBは同じ値にすることができる。すなわち、ＭｅＮＢに関連するセルの出力電力（割り当て電力）の合計がPCMAX,MeNBまたはPalloc_MeNB以下、かつ、ＳｅＮＢに関連するセルの出力電力（割り当て電力）の合計がPCMAX,SeNBまたはPalloc_SeNB以下になるように、端末装置１は送信電力制御を行う。具体的には、端末装置１は、セルグループ毎に設定された値を超えないように、上りリンク送信の送信電力に対して、セルグループ毎にスケーリングする。ここで、スケーリングは、各セルグループにおいて、同時に送信する上りリンク送信に対する優先度と、そのセルグループに対する設定最大出力電力とに基づいて、優先度の低い上りリンク送信に対する送信の停止または送信電力の低減を行うことである。なお、送信電力制御が上りリンク送信のそれぞれに対して個別に行われる場合、本実施形態で説明される方法は上りリンク送信のそれぞれに対して個別に適用できる。
【００９８】
PCMAX,MeNBおよび／またはPCMAX,SeNBは、上位層のシグナリングを通じて設定される最小保障電力に基づいて、設定される。以下では、最小保障電力の詳細を説明する。
【００９９】
最小保障電力は、セルグループ毎に個別に設定される。最小保障電力が上位層のシグナリングで設定されない場合、端末装置１は最小保障電力を予め規定された値（例えば、０）とすることができる。ＭｅＮＢに対する設定最大出力電力は、PMeNBと定義される。ＳｅＮＢに対する設定最大出力電力は、PSeNBと定義される。例えば、PMeNBおよびPSeNBは、ＭｅＮＢおよびＳｅＮＢに対する上りリンク送信に対して、最低限の通信品質を保持するために保障される最小電力として用いられてもよい。最小保障電力は、保障電力、保持電力、または所要の電力とも称される。
【０１００】
なお、保障電力は、ＭｅＮＢに対する上りリンク送信の送信電力とＳｅＮＢに対する上りリンク送信の送信電力との合計がPCMAXを超える場合に、予め規定された優先順位などに基づいて、優先度の高いチャネルまたは信号の送信または送信品質を保持するために用いられてもよい。なお、PMeNBおよびPSeNBを通信に用いられる最低限必要な電力（つまり、保障電力）とし、それぞれのＣＧにおける電力割り当てを計算する際に、計算対象のＣＧ以外のＣＧに対してリザーブしておく電力値として用いることもできる。
【０１０１】
PMeNBおよびPSeNBは絶対電力値（例えばｄＢｍ単位で表記される）として規定できる。絶対電力値の場合、PMeNBおよびPSeNBが設定される。PMeNBおよびPSeNBの合計値はPCMAX以下となることが好ましいが、これに限るものではない。PMeNBおよびPSeNBの合計値がPCMAXより大きい場合は、スケーリングすることにより総電力をPCMAX以下に抑える処理がさらに必要となる。例えば、そのスケーリングは、１未満の値の１つの係数をＭＣＧの総電力値とＳＣＧの総電力値とに乗算する。
【０１０２】
PMeNBおよびPSeNBはPCMAXに対する比率（割合、相対値）として規定されてもよい。例えば、PCMAXのデシベル値に対してｄＢ単位で表記されてもよいし、PCMAXの真値に対する比率で表記されてもよい。PMeNBに関する比率およびPSeNBに関する比率が設定され、それらの比率に基づいてPMeNBおよびPSeNBは決定される。比率表記の場合、PMeNBに関する比率およびPSeNBに関する比率の合計値は１００％以下となることが好ましい。
【０１０３】
以上を言い換えると、以下の通りである。PMeNBおよび／またはPSeNBは、上位層のシグナリングを通じて、上りリンク送信に対するパラメータとして共通または独立に設定できる。PMeNBは、ＭｅＮＢに属するセルにおいて、上りリンク送信のそれぞれまたは全部に割り当てられる送信電力の合計に対する最低保証電力を示す。PSeNBは、ＳｅＮＢに属するセルにおいて、上りリンク送信のそれぞれまたは全部に割り当てられる送信電力の合計に対する最低保証電力を示す。PMeNBおよびPSeNBは、それぞれ０以上の値である。PMeNBおよびPSeNBの合計は、PCMAXまたは所定の最大送信電力を超えないように設定されてもよい。以下の説明において、最低保証電力は、保証電力または保障電力とも呼称される。
【０１０４】
なお、保障電力は、サービングセル毎に設定されてもよい。また、保障電力は、セルグループ毎に設定されてもよい。また、保障電力は、基地局装置（ＭｅＮＢ、ＳｅＮＢ）毎に設定されてもよい。また、保障電力は、上りリンク信号毎に設定されてもよい。また、保障電力は、上位層パラメータに設定されてもよい。また、PMeNBのみをＲＲＣメッセージで設定し、PSeNBをＲＲＣメッセージで設定しないようにしてもよい。このとき、PCMAXから、設定されたPMeNBを減算して得られる値（残りの電力）を、PSeNBとしてセットするようにしてもよい。
【０１０５】
保障電力は、上りリンク送信の有無にかかわらず、サブフレーム毎にセットされてもよい。また、保障電力は、上りリンク送信が期待されない（上りリンク送信が行われないことを端末装置が認識している）サブフレーム（例えば、ＴＤＤ  ＵＬ−ＤＬ設定における下りリンクサブフレーム）においては、適用されなくてもよい。すなわち、あるＣＧのための送信電力を決定する上で、他方のＣＧのための保障電力をリザーブしなくてもよい。また、保障電力は、周期的な上りリンク送信（例えば、Ｐ−ＣＳＩ、トリガータイプ０ＳＲＳ、ＴＴＩバンドリング、ＳＰＳ、上位層シグナリングによるＲＡＣＨ送信など）が生じるサブフレームにおいて、適用されてもよい。保障電力がすべてのサブフレームにおいて有効か無効かを示す情報が、上位層を介して、通知されてもよい。
【０１０６】
保障電力が適用されるサブフレームセットが、上位層パラメータとして通知されてもよい。なお、保障電力が適用されるサブフレームセットは、サービングセル毎に設定されてもよい。また、保障電力が適用されるサブフレームセットは、セルグループ毎に設定されてもよい。また、保障電力が適用されるサブフレームセットは、上りリンク信号毎に設定されてもよい。また、保障電力が適用されるサブフレームセットは、基地局装置（ＭｅＮＢ、ＳｅＮＢ）毎に設定されてもよい。保障電力が適用されるサブフレームセットは、基地局装置（ＭｅＮＢ、ＳｅＮＢ）で共通であってもよい。その際、ＭｅＮＢとＳｅＮＢは、同期してもよい。また、ＭｅＮＢとＳｅＮＢが非同期の場合、保障電力が適用されるサブフレームセットは、個別にセットされてもよい。
【０１０７】
保障電力が、ＭｅＮＢ（ＭＣＧ、ＭＣＧに属するサービングセル）およびＳｅＮＢ（ＳＣＧ、ＳＣＧに属するサービングセル）それぞれに対して、設定される場合、ＭｅＮＢ（ＭＣＧ、ＭＣＧに属するサービングセル）およびＳｅＮＢ（ＳＣＧ、ＳＣＧに属するサービングセル）にセットされるフレーム構造タイプに基づいて、すべてのサブフレームにおいて、常に、保障電力がセットされるかが決定されてもよい。例えば、ＭｅＮＢとＳｅＮＢのフレーム構造タイプが異なる場合は、すべてのサブフレームにおいて、保障電力がセットされてもよい。その際、ＭｅＮＢとＳｅＮＢは、同期していなくてもよい。ＭｅＮＢとＳｅＮＢ（ＭｅＮＢとＳｅＮＢのサブフレームおよび無線フレーム）が同期している場合には、ＴＤＤ  ＵＬ−ＤＬ設定の下りリンクサブフレームと重複するＦＤＤの上りリンクサブフレーム（上りリンクセルのサブフレーム）においては、保障電力を考慮しなくてもよい。つまり、その際の、ＦＤＤの上りリンクサブフレームにおける上りリンク送信に対する上りリンク電力の最大値は、ＰＵＥ＿ＭＡＸまたはＰＵＥ＿ＭＡＸ，ｃであってもよい。
【０１０８】
以下では、Palloc,MeNBおよび／またはPalloc,SeNBの設定方法（決定方法）の詳細を説明する。
【０１０９】
Palloc,MeNBおよび／またはPalloc,SeNBの決定の一例は、以下のステップで行われる。第１のステップでは、ＭＣＧおよびＳＣＧにおいて、Ppre_MeNBおよびPpre_SeNBがそれぞれ求められる。Ppre_MeNBおよびPpre_SeNBは、それぞれのセルグループにおいて、実際の上りリンク送信に対して要求される電力の合計と、それぞれのセルグループに設定される保障電力（すなわち、PMeNBおよびPSeNB）との最小値によって与えられる。第２のステップでは、残余電力が、所定の方法に基づいて、Ppre_MeNBおよび／またはPpre_SeNBに割り当てられる（加算される）。残余電力は、PCMAXからPpre_MeNBおよびPpre_SeNBを減算した電力である。残余電力の一部または全ては、利用できる。これらのステップに基づいて決定された電力が、Palloc,MeNBおよびPalloc,SeNBとして用いられる。
【０１１０】
実際の上りリンク送信に対して要求される電力の一例は、実際の上りリンク送信の割り当てとその上りリンク送信に対する送信電力制御に基づいて決まる電力である。例えば、上りリンク送信がＰＵＳＣＨである場合、その電力は、少なくともＰＵＳＣＨが割り当てられたＲＢ数、端末装置１で計算された下りリンクパスロスの推定、送信電力制御コマンドに参照される値、および、上位層のシグナリングで設定されたパラメータに基づいて決まる。上りリンク送信がＰＵＣＣＨである場合、その電力は、少なくともＰＵＣＣＨフォーマットに依存する値、送信電力制御コマンドに参照される値、および、端末装置１で計算された下りリンクパスロスの推定に基づいて決まる。上りリンク送信がＳＲＳである場合、その電力は、少なくともＳＲＳを送信するためのＲＢ数、現在のＰＵＳＣＨの電力制御のために調整された状態に基づいて決まる。
【０１１１】
実際の上りリンク送信に対して要求される電力の一例は、実際の上りリンク送信の割り当てとその上りリンク送信に対する送信電力制御に基づいて決まる電力と、その上りリンク送信が割り当てられたセルにおける設定最大出力電力（つまり、PCMAX,c）との最小値である。具体的には、あるセルグループにおける要求電力（実際の上りリンク送信に対して要求される電力）は、Σ（ｍｉｎ（ＰＣＭＡＸ、ｊ、ＰＰＵＣＣＨ＋ＰＰＵＳＣＨ，ｊ）によって与えられる。ただし、ｊはそのセルグループに関連するサービングセルを示す。そのサービングセルがＰＣｅｌｌまたはｐＳＣｅｌｌであって、そのサービングセルにＰＵＣＣＨ送信が無い場合、ＰＰＵＣＣＨは０とする。そのサービングセルがＳＣｅｌｌである場合（つまり、そのサービングセルがＰＣｅｌｌまたはｐＳＣｅｌｌではない場合）、ＰＰＵＣＣＨは０とする。そのサービングセルにＰＵＳＣＨ送信が無い場合、ＰＰＵＳＣＨ，ｊは０とする。なお、要求電力を計算する方法は、後述のステップ（ｔ１）〜（ｔ９）に記載の方法を用いることができる。
【０１１２】
Palloc,MeNBおよび／またはPalloc,SeNBの決定の一例は、以下のステップで行われる。第１のステップでは、ＭＣＧおよびＳＣＧにおいて、Ppre_MeNBおよびPpre_SeNBがそれぞれ求められる。Ppre_MeNBおよびPpre_SeNBは、それぞれのセルグループにおいて、それぞれのセルグループに設定される保障電力（すなわち、PMeNBおよびPSeNB）によって与えられる。第２のステップでは、残余電力が、所定の方法に基づいて、Ppre_MeNBおよび／またはPpre_SeNBに割り当てられる（加算される）。例えば、残余電力は、先に送信されるセルグループの優先度が高いとみなして割り当てられる。例えば、残余電力は、後に送信される可能性があるセルグループは考慮しないで、先に送信されるセルグループに割り当てられる。残余電力は、PCMAXからPpre_MeNBおよびPpre_SeNBを減算した電力である。残余電力の一部または全ては、利用できる。これらのステップに基づいて決定された電力が、Palloc,MeNBおよびPalloc,SeNBとして用いられる。
【０１１３】
残余電力は、PMeNBまたはPSeNBを満たさない上りリンクチャネルおよび／または上りリンク信号のために割り当てられることができる。残余電力の割り当ては、上りリンク送信の種類に対する優先度に基づいて行われる。上りリンク送信の種類は、上りリンクチャネル、上りリンク信号および／またはＵＣＩのタイプである。その優先度は、セルグループを超えて与えられる。その優先度は予め規定されてもよいし、上位層のシグナリングで設定されてもよい。
【０１１４】
優先度が予め規定される場合の一例は、セルグループおよび上りリンクチャネルに基づく。例えば、上りリンク送信の種類に対する優先度は、ＭＣＧにおけるＰＵＣＣＨ、ＳＣＧにおけるＰＵＣＣＨ、ＭＣＧにおけるＵＣＩを含むＰＵＳＣＨ、ＳＣＧにおけるＵＣＩを含むＰＵＳＣＨ、ＭＣＧにおけるＵＣＩを含まないＰＵＳＣＨ、ＳＣＧにおけるＵＣＩを含まないＰＵＳＣＨの順で規定される。
【０１１５】
優先度が予め規定される場合の一例は、セルグループ、上りリンクチャネルおよび／またはＵＣＩのタイプに基づく。例えば、上りリンク送信の種類に対する優先度は、ＭＣＧにおけるＨＡＲＱ−ＡＣＫおよび／またはＳＲを少なくとも含むＵＣＩを含むＰＵＣＣＨまたはＰＵＳＣＨ、ＳＣＧにおけるＨＡＲＱ−ＡＣＫおよび／またはＳＲを少なくとも含むＵＣＩを含むＰＵＣＣＨまたはＰＵＳＣＨ、ＭＣＧにおけるＣＳＩのみを含むＵＣＩを含むＰＵＣＣＨまたはＰＵＳＣＨ、ＳＣＧにおけるＣＳＩのみを含むＵＣＩを含むＰＵＣＣＨまたはＰＵＳＣＨ、ＭＣＧにおけるＵＣＩを含まないＰＵＳＣＨ、ＳＣＧにおけるＵＣＩを含まないＰＵＳＣＨの順で規定される。
【０１１６】
優先度が上位層のシグナリングで設定される場合の一例において、優先度は、セルグループ、上りリンクチャネルおよび／またはＵＣＩのタイプに対して設定される。例えば、上りリンク送信の種類に対する優先度は、ＭＣＧにおけるＰＵＣＣＨ、ＳＣＧにおけるＰＵＣＣＨ、ＭＣＧにおけるＵＣＩを含むＰＵＳＣＨ、ＳＣＧにおけるＵＣＩを含むＰＵＳＣＨ、ＭＣＧにおけるＵＣＩを含まないＰＵＳＣＨ、ＳＣＧにおけるＵＣＩを含まないＰＵＳＣＨのそれぞれに設定される。
【０１１７】
優先度に基づく残余電力の割り当ての一例において、残余電力は、それぞれのセルグループの中で最も優先度の高い上りリンク送信の種類を含むセルグループに割り当てられる。なお、最も優先度の高い上りリンク送信の種類を含むセルグループに割り当てた後にさらに残った電力は、もう一方のセルグループに割り当てられる。具体的な端末装置１の動作は以下の通りである。
【０１１８】
優先度に基づく残余電力の割り当ての一例において、残余電力は、優先度に基づくパラメータ（点数）の合計が高いセルグループに割り当てられる。
【０１１９】
優先度に基づく残余電力の割り当ての一例において、残余電力は、優先度に基づくパラメータ（点数）の合計に基づいて決まる比率によって、それぞれのセルグループに割り当てられる。例えば、ＭＣＧおよびＳＣＧにおける優先度に基づくパラメータ（点数）の合計がそれぞれ１５および５である時、残余電力の７５％はＭＣＧに割り当てられ、残余電力の２５％はＳＣＧに割り当てられる。優先度に基づくパラメータは、上りリンク送信に割り当てられるリソースブロックの数にさらに基づいて決定されてもよい。
【０１２０】
優先度に基づく残余電力の割り当ての一例において、残余電力は、優先度の高い上りリンク送信の種類に対して順に割り当てられる。その割り当ては、上りリンク送信の種類に対する優先度に応じて、セルグループを超えて行われる。具体的には、残余電力は、優先度の高い上りリンク送信の種類から順に、その上りリンク送信の種類に対する要求電力を満たすように割り当てられる。さらに、その割り当ては、Ppre_MeNBおよびPpre_SeNBが、それぞれのセルグループにおいて、優先度の高い上りリンク送信の種類に割り当てられることを想定して行われる。その想定に基づいて、残余電力は、要求電力に満たない上りリンク送信の種類に対して、優先度の高い上りリンク送信の種類に対して順に割り当てられる。
【０１２１】
優先度に基づく残余電力の割り当ての一例において、残余電力は、優先度の高い上りリンク送信の種類に対して順に割り当てられる。その割り当ては、上りリンク送信の種類に対する優先度に応じて、セルグループを超えて行われる。具体的には、残余電力は、優先度の高い上りリンク送信の種類から順に、その上りリンク送信の種類に対する要求電力を満たすように割り当てられる。さらに、その割り当ては、Ppre_MeNBおよびPpre_SeNBが、それぞれのセルグループにおいて、優先度の低い上りリンク送信の種類に割り当てられることを想定して行われる。その想定に基づいて、残余電力は、要求電力に満たない上りリンク送信の種類に対して、優先度の高い上りリンク送信の種類に対して順に割り当てられる。
【０１２２】
優先度に基づく残余電力の割り当ての別の一例は、以下の通りである。第1のセルグループと第２のセルグループとを用いて、基地局装置と通信する端末装置は、あるサブフレームにおける前記第１のセルグループの最大出力電力に基づいてチャネルおよび／または信号を送信する送信部を備える。前記第２のセルグループにおける上りリンク送信に関する情報を認識する場合、残余電力は、上りリンク送信の種類に対する優先度に基づいて割り当てられる。前記残余電力は、前記端末装置の最大出力電力の合計から、前記第１のセルグループにおける上りリンク送信に基づいて決まる電力と、前記第２のセルグループにおける上りリンク送信に基づいて決まる電力とを減算することによって与えられる。前記最大出力電力は、前記第１のセルグループにおける上りリンク送信に基づいて決まる電力と、前記残余電力のうち前記第１のセルグループに割り当てられた電力との合計である。
【０１２３】
また、前記残余電力は、前記優先度の高い上りリンク送信の種類を有するセルグループから順に割り当てられる。
【０１２４】
また、前記残余電力は、以下を想定して割り当てられる。前記第１のセルグループにおける上りリンク送信に基づいて決まる電力が、前記第１のセルグループ内の優先度の高い上りリンク送信の種類に割り当てられる。前記第２のセルグループにおける上りリンク送信に基づいて決まる電力が、前記第２のセルグループ内の優先度の高い上りリンク送信の種類に割り当てられる。
【０１２５】
また、前記残余電力は、以下を想定して割り当てられる。前記第１のセルグループにおける上りリンク送信に基づいて決まる電力が、前記第１のセルグループ内の優先度の低い上りリンク送信の種類に割り当てられる。前記第２のセルグループにおける上りリンク送信に基づいて決まる電力が、前記第２のセルグループ内の優先度の低い上りリンク送信の種類に割り当てられる。
【０１２６】
また、前記残余電力は、それぞれのセルグループにおいて、上りリンク送信の種類に対する優先度に基づいて決まるパラメータの合計に基づいて割り当てられる。
【０１２７】
セルグループ（ＣＧ）間で保障電力と残余電力（残りの電力）との割り当ての具体的な方法の一例は以下の通りである。ＣＧ間での電力割り当ては、第１のステップで保障電力の割り当てを行い、第２のステップで残りの電力の割り当てを行う。第１のステップで割り当てられる電力は、Ppre_MeNBおよびPpre_SeNBである。第１のステップで割り当てられる電力と第２のステップで割り当てられる電力の合計は、Palloc_MeNBおよびPalloc_SeNBである。なお、保障電力は、第１のリザーブ電力、第１のステップで割り当てられる電力、または、第１の割り当て電力とも呼称される。残りの電力は、第２のリザーブ電力、第２のステップで割り当てられる電力、または、第２の割り当て電力とも呼称される。
【０１２８】
保障電力の割り当ての一例は次のようなルールに従う。
（Ｇ１）あるＣＧ（第１のＣＧ）に対して（あるＣＧ（第１のＣＧ）に割り当てる電力を決定する際に）、もし端末装置が、そのＣＧ（第１のＣＧ）のサブフレームとオーバーラップするサブフレームにおいて、他のＣＧ（第２のＣＧ）における上りリンク送信を行わないこと（オーバーラップしないこと）を知っている（recognize）なら、そのときは、その端末装置は他のＣＧ（第２のＣＧ）の割り当て電力に対して保障電力をリザーブしない（割り当てない）。つまり、ＣＧ１の最大送信電力はＰＣＭＡＸとなる。
（Ｇ２）それ以外の場合は、その端末装置は、他のＣＧ（第２のＣＧ）の割り当て電力に対して保障電力をリザーブする（割り当てる）。
【０１２９】
残りの電力の割り当ての一例は次のようなルールに従う。
（Ｒ１）あるＣＧ（第１のＣＧ）に対して（あるＣＧ（第１のＣＧ）に割り当てる電力を決定する際に）、もし端末装置が、そのＣＧ（第１のＣＧ）のサブフレームとオーバーラップするサブフレームにおいて、そのＣＧ（第１のＣＧ）における上りリンク送信よりも優先度の高い上りリンク送信を、他のＣＧ（第２のＣＧ）において行うことを知っているなら、そのときは、その端末装置は他のＣＧ（第２のＣＧ）の割り当て電力に対して残りの電力をリザーブする。
（Ｒ２）それ以外の場合は、その端末装置は、そのＣＧ（第１のＣＧ）に対して残りの電力を割り当て、他のＣＧ（第２のＣＧ）の割り当て電力に対して残りの電力をリザーブしない。
【０１３０】
保障電力の割り当ての一例は次のようなルールに従う。
（Ｇ１）あるＣＧ（第１のＣＧ）に対して（あるＣＧ（第１のＣＧ）に割り当てる電力を決定する際に）、もし端末装置が、そのＣＧ（第１のＣＧ）のサブフレームとオーバーラップするサブフレームにおいて、他のＣＧ（第２のＣＧ）における上りリンク送信に関する情報を知らない場合、その端末装置は、以下の動作を行う。その端末装置は、そのＣＧ（第１のＣＧ）における上りリンク送信に関する情報に基づいて、そのＣＧ（第１のＣＧ）の割り当て電力に対して要求される電力（Ppre_MeNBまたはPpre_SeNB）を割り当てる。その端末装置は、他のＣＧ（第２のＣＧ）の割り当て電力に対して保障電力（PMeNBまたはPSeNB）を割り当てる。
（Ｇ２）それ以外の場合、その端末装置は、以下の動作を行う。その端末装置は、そのＣＧ（第１のＣＧ）における上りリンク送信に関する情報に基づいて、そのＣＧ（第１のＣＧ）の割り当て電力に対して要求される電力（Ppre_MeNBまたはPpre_SeNB）を割り当てる。その端末装置は、他のＣＧ（第２のＣＧ）における上りリンク送信に関する情報に基づいて、他のＣＧ（第２のＣＧ）の割り当て電力に対して要求される電力（Ppre_MeNBまたはPpre_SeNB）を割り当てる。
【０１３１】
残りの電力の割り当ての一例は次のようなルールに従う。
（Ｒ１）あるＣＧ（第１のＣＧ）に対して（あるＣＧ（第１のＣＧ）に割り当てる電力を決定する際に）、もし端末装置が、そのＣＧ（第１のＣＧ）のサブフレームとオーバーラップするサブフレームにおいて、他のＣＧ（第２のＣＧ）における上りリンク送信に関する情報を知らない場合、その端末装置は、以下の動作を行う。その端末装置は、そのＣＧ（第１のＣＧ）の割り当て電力に対して残りの電力を割り当てる。
（Ｒ２）それ以外の場合、その端末装置は、そのＣＧ（第１のＣＧ）の割り当て電力と、他のＣＧ（第２のＣＧ）の割り当て電力とに対して、所定の方法に基づいて残りの電力を割り当てる。具体的な方法は、本実施形態で説明した方法を用いることができる。
【０１３２】
残余電力の定義（算出方法）の一例は、以下の通りである。この例では、端末装置１は、他方のセルグループにおいてオーバーラップするサブフレームに対する上りリンク送信の割り当てを認識している場合である。
【０１３３】
図１２で示されるサブフレームｉにおいて、ＭＣＧに対する割り当て電力（Palloc_MeNB）を演算する場合に算出される残余電力は、PCMAXから、ＭＣＧのサブフレームｉにおける第１のステップで割り当てられた電力（Ppre_MeNB）と、ＭＣＧのサブフレームｉとオーバーラップするＳＣＧのサブフレームに関する電力とを減算することによって与えられる。図１２において、そのオーバーラップするＳＣＧのサブフレームは、ＳＣＧのサブフレームｉ−１とサブフレームｉである。ＳＣＧのサブフレームに関する電力は、ＳＣＧのサブフレームｉ−１における実際の上りリンク送信の送信電力と、ＳＣＧのサブフレームｉにおける第１のステップで割り当てられた電力（Ppre_SeNB）との最大値である。
【０１３４】
図１２で示されるサブフレームｉにおいて、ＳＣＧに対する割り当て電力（Palloc_SeNB）を演算する場合に算出される残余電力は、PCMAXから、ＳＣＧのサブフレームｉにおける第１のステップで割り当てられた電力（Ppre_SeNB）と、ＳＣＧのサブフレームｉとオーバーラップするＭＣＧのサブフレームに関する電力とを減算することによって与えられる。図１２において、そのオーバーラップするＭＣＧのサブフレームは、ＭＣＧのサブフレームｉとサブフレームｉ＋１である。ＭＣＧのサブフレームに関する電力は、ＭＣＧのサブフレームｉにおける実際の上りリンク送信の送信電力と、ＭＣＧのサブフレームｉ＋１における第１のステップで割り当てられた電力（Ppre_MeNB）との最大値である。
【０１３５】
残余電力の定義（算出方法）の別の一例は、以下の通りである。この例では、端末装置１は、他方のセルグループにおいてオーバーラップするサブフレームに対する上りリンク送信の割り当てを認識していない場合である。
【０１３６】
図１２で示されるサブフレームｉにおいて、ＭＣＧに対する割り当て電力（Palloc_MeNB）を演算する場合に算出される残余電力は、PCMAXから、ＭＣＧのサブフレームｉにおける第１のステップで割り当てられた電力（Ppre_MeNB）と、ＭＣＧのサブフレームｉとオーバーラップするＳＣＧのサブフレームに関する電力とを減算することによって与えられる。図１２において、そのオーバーラップするＳＣＧのサブフレームは、ＳＣＧのサブフレームｉ−１とサブフレームｉである。ＳＣＧのサブフレームに関する電力は、ＳＣＧのサブフレームｉ−１における実際の上りリンク送信の送信電力と、ＳＣＧのサブフレームｉにおける保障電力（PSeNB）との最大値である。
【０１３７】
図１２で示されるサブフレームｉにおいて、ＳＣＧに対する割り当て電力（Palloc_SeNB）を演算する場合に算出される残余電力は、PCMAXから、ＳＣＧのサブフレームｉにおける第１のステップで割り当てられた電力（Ppre_SeNB）と、ＳＣＧのサブフレームｉとオーバーラップするＭＣＧのサブフレームに関する電力とを減算することによって与えられる。図１２において、そのオーバーラップするＭＣＧのサブフレームは、ＭＣＧのサブフレームｉとサブフレームｉ＋１である。ＭＣＧのサブフレームに関する電力は、ＭＣＧのサブフレームｉにおける実際の上りリンク送信の送信電力と、ＭＣＧのサブフレームｉ＋１における保障電力（PMeNB）との最大値である。
【０１３８】
残余電力の定義（算出方法）の別の一例は、以下の通りである。第１のセルグループと第２のセルグループとを用いて、基地局装置と通信する端末装置は、あるサブフレームにおける前記第１のセルグループの最大出力電力に基づいて、チャネルおよび／または信号を送信する送信部を備える。前記あるサブフレームとオーバーラップする後方のサブフレームにおける前記第２のセルグループの上りリンク送信に関する情報を認識する場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの上りリンク送信に基づいて決まる電力との最大値である。
【０１３９】
残余電力の定義（算出方法）の別の一例は、以下の通りである。第１のセルグループと第２のセルグループとを用いて、基地局装置と通信する端末装置は、あるサブフレームにおける前記第１のセルグループの最大出力電力に基づいて、チャネルおよび／または信号を送信する送信部を備える。前記あるサブフレームとオーバーラップする後方のサブフレームにおける前記第２のセルグループの上りリンク送信に関する情報を認識しない場合、前記第１のセルグループの最大出力電力は、前記あるサブフレームにおける前記第１のセルグループの上りリンク送信に基づいて決まる電力と、残余電力のうち前記第１のセルグループに割り当てられる電力との合計である。前記残余電力は、前記端末装置の最大出力電力の合計から、前記あるサブフレームにおける前記第１のセルグループの上りリンク送信に基づいて決まる電力と、前記第２のセルグループに対する電力とを減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。
【０１４０】
残余電力の定義（算出方法）の別の一例は、以下の通りである。第１のセルグループと第２のセルグループとを用いて、基地局装置と通信する端末装置は、あるサブフレームにおける前記第１のセルグループの最大出力電力に基づいて、チャネルおよび／または信号を送信する送信部を備える。前記あるサブフレームとオーバーラップする後方のサブフレームにおける前記第２のセルグループの上りリンク送信に関する情報を認識しない場合、前記第１のセルグループの最大出力電力は、前記端末装置の最大出力電力の合計から、前記第２のセルグループに対する電力を減算することによって与えられる。前記第２のセルグループに対する電力は、前記あるサブフレームとオーバーラップする前方のサブフレームにおける前記第２のセルグループの出力電力と、前記あるサブフレームとオーバーラップする後方のサブフレームにおける前記第２のセルグループの保障電力との最大値である。
【０１４１】
以下では、保障電力および残りの電力割り当ての他の方法について説明する。下記に示すように、ＰＭＣＧは少なくともＰＣＭＡＸとＰＳｅＮＢとを用いた演算により算出され、ＰＳＣＧは少なくともＰＣＭＡＸとＰＭｅＮＢとを用いた演算により算出される。
【０１４２】
まず、ステップ（ｓ１）として、ＭＣＧの電力値とＳＣＧの電力値を初期化し、余剰電力（未割り当ての余剰電力）を算出する。また、余剰保障電力（未割り当ての保障電力）を初期化する。より具体的には、ＰＭＣＧ＝０、ＰＳＣＧ＝０、ＰＲｅｍａｉｎｉｎｇ＝ＰＣＭＡＸ−ＰＭｅＮＢ−ＰＳｅＮＢとする。また、ＰＭｅＮＢ、Ｒｅｍａｉｎｉｎｇ＝ＰＭｅＮＢ、ＰＳｅＮＢ，Ｒｅｍａｉｎｉｎｇ＝ＰＳｅＮＢとする。ここで、ＰＭＣＧおよびＰＳＣＧはそれぞれＭＣＧの電力値とＳＣＧの電力値であり、ＰＲｅｍａｉｎｉｎｇは余剰電力値である。ＰＣＭＡＸ、ＰＭｅＮＢおよびＰＳｅＮＢは前述したパラメータである。また、ＰＭｅＮＢ，ＲｅｍａｉｎｉｎｇおよびＰＳｅＮＢ，ＲｅｍａｉｎｉｎｇはそれぞれＭＣＧの余剰保障電力値とＳＣＧの余剰保障電力値である。なお、ここでは各電力値は線形値とする。
【０１４３】
次に、ＭＣＧにおけるＰＵＣＣＨ、ＳＣＧにおけるＰＵＣＣＨ、ＭＣＧにおけるＵＣＩを含むＰＵＳＣＨ、ＭＣＧにおけるＵＣＩを含まないＰＵＳＣＨ、ＳＣＧにおけるＵＣＩを含まないＰＵＳＣＨの順で、順次、余剰電力および余剰保障電力を各ＣＧに割り当てていく。このとき、余剰保障電力がある場合は、余剰保障電力を先に割り当て、余剰保障電力が無くなった後、余剰保障電力を割り当てる。また、順に各ＣＧに割り当てていく電力量は、基本的には、各チャネルに要求される電力値（ＴＰＣ（Ｔｒａｎｓｍｉｔ  Ｐｏｗｅｒ  Ｃｏｎｔｒｏｌ）コマンドやリソースアサインメントなどに基づく電力値）である。ただし、余剰電力あるいは余剰保障電力が要求される電力値に満たない場合は、余剰電力あるいは余剰保障電力のすべてが割り当てられる。ＣＧに電力が割り当てられると、割り当てられた電力分だけ余剰電力あるいは余剰保障電力が減少する。なお、０の値の余剰電力あるいは余剰保障電力を割り当てることは、余剰電力あるいは余剰保障電力を割り当てないことと同じ意味である。以下では、より具体的なＣＧ毎電力値算出ステップとして、（ｓ２）から（ｓ８）を説明する。
【０１４４】
ステップ（ｓ２）として、次の演算が行われる。もし、ＭＣＧにおけるＰＵＣＣＨ送信があるならば（あるいは、端末装置１がＭＣＧにおけるＰＵＣＣＨ送信があるということを知っているならば）、ＰＭＣＧ＝ＰＭＣＧ＋δ１＋δ２、ＰＭｅＮＢ，Ｒｅｍａｉｎｉｎｇ＝ＰＭｅＮＢ，Ｒｅｍａｉｎｉｎｇ−δ１、ＰＲｅｍａｉｎｉｎｇ＝ＰＲｅｍａｉｎｉｎｇ−δ２の演算を行う。ここで、δ１＝ｍｉｎ（ＰＰＵＣＣＨ，ＭＣＧ，ＰＭｅＮＢ，Ｒｅｍａｉｎｉｎｇ）およびδ２＝ｍｉｎ（ＰＰＵＣＣＨ，ＭＣＧ−δ１，ＰＲｅｍａｉｎｉｎｇ）である。すなわち、ＰＵＣＣＨ送信に要求される電力値をＭＣＧの余剰保障電力からＭＣＧに割り当てる。このとき、ＭＣＧの余剰保障電力がＰＵＣＣＨ送信に要求される電力に対して足りない場合には、余剰保障電力をすべてＭＣＧに割り当てた上で、不足分を余剰電力からＭＣＧに割り当てる。ここで、さらに、余剰電力が不足分に足りない場合には、余剰電力のすべてをＭＣＧに割り当てる。ＭＣＧの電力値には、余剰保障電力あるいは余剰電力から割り当てられた分の電力値が加算される。ＭＣＧに割り当てた分の電力値は、余剰保障電力あるいは余剰電力から減算される。なお、ＰＰＵＣＣＨ，ＭＣＧは、ＭＣＧのＰＵＣＣＨ送信に要求される電力値であり、上位層により設定されるパラメータ、下りリンクパスロス、そのＰＵＣＣＨで送信されるＵＣＩによって決まる調整値、ＰＵＣＣＨフォーマットによって決まる調整値。そのＰＵＣＣＨの送信に用いられるアンテナポート数によって決まる調整値、ＴＰＣコマンドに基づく値などに基づいて算出される。
【０１４５】
ステップ（ｓ３）として、次の演算が行われる。もし、ＳＣＧにおけるＰＵＣＣＨ送信があるならば（あるいは、端末装置１がＳＣＧにおけるＰＵＣＣＨ送信があるということを知っているならば）、ＰＳＣＧ＝ＰＳＣＧ＋δ１＋δ２、ＰＳｅＮＢ，Ｒｅｍａｉｎｉｎｇ＝ＰＳｅＮＢ，Ｒｅｍａｉｎｉｎｇ−δ１、ＰＲｅｍａｉｎｉｎｇ＝ＰＲｅｍａｉｎｉｎｇ−δ２の演算を行う。ここで、δ１＝ｍｉｎ（ＰＰＵＣＣＨ，ＳＣＧ，ＰＳｅＮＢ，Ｒｅｍａｉｎｉｎｇ）およびδ２＝ｍｉｎ（ＰＰＵＣＣＨ，ＳＣＧ−δ１，ＰＲｅｍａｉｎｉｎｇ）である。すなわち、ＰＵＣＣＨ送信に要求される電力値をＳＣＧの余剰保障電力からＳＣＧに割り当てる。このとき、ＳＣＧの余剰保障電力がＰＵＣＣＨ送信に要求される電力に対して足りない場合には、余剰保障電力をすべてＳＣＧに割り当てた上で、不足分を余剰電力からＳＣＧに割り当てる。ここで、さらに、余剰電力が不足分に足りない場合には、余剰電力のすべてをＳＣＧに割り当てる。ＳＣＧの電力値には、余剰保障電力あるいは余剰電力から割り当てられた分の電力値が加算される。ＳＣＧに割り当てた分の電力値は、余剰保障電力あるいは余剰電力から減算される。なお、ＰＰＵＣＣＨ，ＳＣＧは、ＳＣＧのＰＵＣＣＨ送信に要求される電力値であり、上位層により設定されるパラメータ、下りリンクパスロス、そのＰＵＣＣＨで送信されるＵＣＩによって決まる調整値、ＰＵＣＣＨフォーマットによって決まる調整値。そのＰＵＣＣＨの送信に用いられるアンテナポート数によって決まる調整値、ＴＰＣコマンドに基づく値などに基づいて算出される。
【０１４６】
ステップ（ｓ４）として、次の演算が行われる。もし、ＭＣＧにおけるＵＣＩを含むＰＵＳＣＨ送信があるならば（あるいは、端末装置１がＭＣＧにおけるＵＣＩを含むＰＵＳＣＨ送信があるということを知っているならば）、ＰＭＣＧ＝ＰＭＣＧ＋δ１＋δ２、ＰＭｅＮＢ，Ｒｅｍａｉｎｉｎｇ＝ＰＭｅＮＢ，Ｒｅｍａｉｎｉｎｇ−δ１、ＰＲｅｍａｉｎｉｎｇ＝ＰＲｅｍａｉｎｉｎｇ−δ２の演算を行う。ここで、δ１＝ｍｉｎ（ＰＰＵＳＣＨ，ｊ，ＭＣＧ，ＰＭｅＮＢ，Ｒｅｍａｉｎｉｎｇ）およびδ２＝ｍｉｎ（ＰＰＵＳＣＨ，ｊ，ＭＣＧ−δ１，ＰＲｅｍａｉｎｉｎｇ）である。すなわち、ＵＣＩを含むＰＵＳＣＨ送信に要求される電力値をＭＣＧの余剰保障電力からＭＣＧに割り当てる。このとき、ＭＣＧの余剰保障電力がＵＣＩを含むＰＵＳＣＨ送信に要求される電力に対して足りない場合には、余剰保障電力をすべてＭＣＧに割り当てた上で、不足分を余剰電力からＭＣＧに割り当てる。ここで、さらに、余剰電力が不足分に足りない場合には、余剰電力のすべてをＭＣＧに割り当てる。ＭＣＧの電力値には、余剰保障電力あるいは余剰電力から割り当てられた分の電力値が加算される。ＭＣＧに割り当てた分の電力値は、余剰保障電力あるいは余剰電力から減算される。なお、ＰＰＵＳＣＨ，ｊ，ＭＣＧは、ＭＣＧにおけるＵＣＩを含むＰＵＳＣＨ送信に要求される電力値であり、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドに基づく値などに基づいて算出される。
【０１４７】
ステップ（ｓ５）として、次の演算が行われる。もし、ＳＣＧにおけるＵＣＩを含むＰＵＳＣＨ送信があるならば（あるいは、端末装置１がＳＣＧにおけるＵＣＩを含むＰＵＳＣＨ送信があるということを知っているならば）、ＰＳＣＧ＝ＰＳＣＧ＋δ１＋δ２、ＰＳｅＮＢ，Ｒｅｍａｉｎｉｎｇ＝ＰＳｅＮＢ，Ｒｅｍａｉｎｉｎｇ−δ１、ＰＲｅｍａｉｎｉｎｇ＝ＰＲｅｍａｉｎｉｎｇ−δ２の演算を行う。ここで、δ１＝ｍｉｎ（ＰＰＵＳＣＨ，ｊ，ＳＣＧ，ＰＳｅＮＢ，Ｒｅｍａｉｎｉｎｇ）およびδ２＝ｍｉｎ（ＰＰＵＳＣＨ，ｊ，ＳＣＧ−δ１，ＰＲｅｍａｉｎｉｎｇ）である。すなわち、ＵＣＩを含むＰＵＳＣＨ送信に要求される電力値をＳＣＧの余剰保障電力からＳＣＧに割り当てる。このとき、ＳＣＧの余剰保障電力がＵＣＩを含むＰＵＳＣＨ送信に要求される電力に対して足りない場合には、余剰保障電力をすべてＳＣＧに割り当てた上で、不足分を余剰電力からＳＣＧに割り当てる。ここで、さらに、余剰電力が不足分に足りない場合には、余剰電力のすべてをＳＣＧに割り当てる。ＳＣＧの電力値には、余剰保障電力あるいは余剰電力から割り当てられた分の電力値が加算される。ＳＣＧに割り当てた分の電力値は、余剰保障電力あるいは余剰電力から減算される。なお、ＰＰＵＳＣＨ，ｊ，ＳＣＧは、ＳＣＧにおけるＵＣＩを含むＰＵＳＣＨ送信に要求される電力値であり、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドに基づく値などに基づいて算出される。
【０１４８】
ステップ（ｓ６）として、次の演算が行われる。もし、ＭＣＧにおける１つ以上のＰＵＳＣＨ送信（ＵＣＩを含まないＰＵＳＣＨ送信）があるならば（あるいは、端末装置１がＭＣＧにおけるＰＵＳＣＨ送信があるということを知っているならば）、ＰＭＣＧ＝ＰＭＣＧ＋δ１＋δ２、ＰＭｅＮＢ，Ｒｅｍａｉｎｉｎｇ＝ＰＭｅＮＢ，Ｒｅｍａｉｎｉｎｇ−δ１、ＰＲｅｍａｉｎｉｎｇ＝ＰＲｅｍａｉｎｉｎｇ−δ２の演算を行う。ここで、δ１＝ｍｉｎ（ΣＰＰＵＳＣＨ，ｃ，ＭＣＧ，ＰＭｅＮＢ，Ｒｅｍａｉｎｉｎｇ）およびδ２＝ｍｉｎ（ΣＰＰＵＳＣＨ，ｃ，ＭＣＧ−δ１，ＰＲｅｍａｉｎｉｎｇ）である。すなわち、ＰＵＳＣＨ送信に要求される電力値の合計値をＭＣＧの余剰保障電力からＭＣＧに割り当てる。このとき、ＭＣＧの余剰保障電力がＰＵＳＣＨ送信に要求される電力の合計値に対して足りない場合には、余剰保障電力をすべてＭＣＧに割り当てた上で、不足分を余剰電力からＭＣＧに割り当てる。ここで、さらに、余剰電力が不足分に足りない場合には、余剰電力のすべてをＭＣＧに割り当てる。ＭＣＧの電力値には、余剰保障電力あるいは余剰電力から割り当てられた分の電力値が加算される。ＭＣＧに割り当てた分の電力値は、余剰保障電力あるいは余剰電力から減算される。なお、ＰＰＵＳＣＨ，ｃ，ＭＣＧは、ＭＣＧに属すサービングセルｃにおけるＰＵＳＣＨ送信に要求される電力値であり、上位層により設定されるパラメータ、リソースアサインメントによってそのＰＵＳＣＨ送信に割り当てられたＰＲＢ数によって決まる調整値、下りリンクパスロスおよびそれに乗算される係数、ＴＰＣコマンドに基づく値などに基づいて算出される。また、Σは合計を意味し、ΣＰＰＵＳＣＨ，ｃ，ＭＣＧは、ｃ≠ｊであるサービングセルｃにおけるＰＰＵＳＣＨ，ｃ，ＭＣＧの合計値を表している。
【０１４９】
ステップ（ｓ７）として、次の演算が行われる。もし、ＳＣＧにおける１つ以上のＰＵＳＣＨ送信（ＵＣＩを含まないＰＵＳＣＨ送信）があるならば（あるいは、端末装置１がＳＣＧにおけるＰＵＳＣＨ送信があるということを知っているならば）、ＰＳＣＧ＝ＰＳＣＧ＋δ１＋δ２、ＰＳｅＮＢ，Ｒｅｍａｉｎｉｎｇ＝ＰＳｅＮＢ，Ｒｅｍａｉｎｉｎｇ−δ１、ＰＲｅｍａｉｎｉｎｇ＝ＰＲｅｍａｉｎｉｎｇ−δ２の演算を行う。ここで、δ１＝ｍｉｎ（ΣＰＰＵＳＣＨ，ｃ，ＳＣＧ，ＰＳｅＮＢ，Ｒｅｍａｉｎｉｎｇ）およびδ２＝ｍｉｎ（ΣＰＰＵＳＣＨ，ｃ，ＳＣＧ−δ１，ＰＲｅｍａｉｎｉｎｇ）である。すなわち、ＰＵＳＣＨ送信に要求される電力値の合計値をＳＣＧの余剰保障電力からＳＣＧに割り当てる。このとき、ＳＣＧの余剰保障電力がＰＵＳＣＨ送信に要求される電力の合計値に対して足りない場合には、余剰保障電力をすべてＳＣＧに割り当てた上で、不足分を余剰電力からＳＣＧに割り当てる。ここで、さらに、余剰電力が不足分に足りない場合には、余剰電力のすべてをＳＣＧに割り当てる。ＳＣＧの電力値には、余剰保障電力あるいは余剰電力から割り当てられた分の電力値が加算される。ＳＣＧに割り当てた分の電力値は、余剰保障電力あるいは余剰電力から減算される。なお、ＰＰＵＳＣＨ，ｃ，ＳＣＧは、ＳＣＧに属すサービングセルｃにおけるＰＵＳＣＨ送信に要求される電力値であり、上位層により設定されるパラメータ、リソースアサインメントによってそのＰＵＳＣＨ送信に割り当てられたＰＲＢ数によって決まる調整値、下りリンクパスロスおよびそれに乗算される係数、ＴＰＣコマンドに基づく値などに基づいて算出される。また、Σは合計を意味し、ΣＰＰＵＳＣＨ，ｃ，ＳＣＧは、ｃ≠ｊであるサービングセルｃにおけるＰＰＵＳＣＨ，ｃ，ＳＣＧの合計値を表している。
【０１５０】
ステップ（ｓ８）として、次の演算が行われる。もし、電力計算の対象となっているサブフレームがＭＣＧのサブフレームであるなら、対象となるＣＧに対する最大出力電力値であるＰＣＭＡＸ，ＣＧをＰＣＭＡＸ，ＣＧ＝ＰＭＣＧとセットする。それ以外の場合、つまり、電力計算の対象となっているサブフレームがＳＣＧのサブフレームであるなら、対象となるＣＧに対する最大出力電力値であるＰＣＭＡＸ，ＣＧをＰＣＭＡＸ，ＣＧ＝ＰＳＣＧとセットする。
【０１５１】
このようにして、保障電力および余剰電力から対象となるＣＧにおける最大出力電力値を算出することができる。なお、ＭＣＧの電力値、ＳＣＧの電力値、余剰電力、余剰保障電力の上記の各ステップにおける初期値としては、それぞれ、一つ前のステップにおける最終値が用いられる。 
【０１５２】
なお、ここでは、電力割り当ての優先順位として、ＭＣＧにおけるＰＵＣＣＨ，ＳＣＧにおけるＰＵＣＣＨ，ＭＣＧにおけるＵＣＩを含むＰＵＳＣＨ、ＭＣＧにおけるＵＣＩを含まないＰＵＳＣＨ、ＳＣＧにおけるＵＣＩを含まないＰＵＳＣＨの順を用いたが、これに限るものではない。他の優先順位を用いることもできる。例えば、ＨＡＲＱ−ＡＣＫを含むＭＣＧにおけるチャネル、ＨＡＲＱ−ＡＣＫを含むＳＣＧにおけるチャネル、ＭＣＧにおけるＰＵＳＣＨ（ＨＡＲＱ−ＡＣＫを含まない）、ＳＣＧにおけるＰＵＳＣＨ（ＨＡＲＱ−ＡＣＫを含まない）という順であってもよい。また、ＭＣＧとＳＣＧとを区別せず、ＳＲを含むチャネル、ＨＡＲＱ−ＡＣＫを含むチャネル（ＳＲを含まない）、ＣＳＩを含むチャネル（ＳＲやＨＡＲＱ−ＡＣＫを含まない）、データを含むチャネル（ＵＣＩを含まない）の順であってもよい。これらの場合、上記ステップｓ２からステップｓ７における要求電力値を置き換えればよい。１つのステップにおいて複数のチャネルが対象になる場合は、ステップｓ６やステップｓ７のようにそれらのチャネルの要求電力の合計値を用いればよい。あるいは、上記ステップの一部を行わないような方法を用いることもできる。また、上記のチャネルに加えて、ＰＲＡＣＨやＳＲＳなどを考慮して優先順位をつけてもよい。このとき、ＰＲＡＣＨはＰＵＣＣＨよりも高い優先度とし、ＳＲＳはＰＵＳＣＨ（ＵＣＩを含まない）より低い優先度としてもよい。
【０１５３】
以下では、保障電力および残りの電力割り当ての他の方法について説明する。
【０１５４】
まず、ステップ（ｔ１）として、ＭＣＧの電力値とＳＣＧの電力値と余剰電力（未割り当ての余剰電力）とＭＣＧの総要求電力とＳＣＧの総要求電力とを初期化する。より具体的には、ＰＭＣＧ＝０、ＰＳＣＧ＝０、ＰＲｅｍａｉｎｉｎｇ＝ＰＣＭＡＸとする。また、ＰＭＣＧ，Ｒｅｑｕｉｒｅｄ＝０、ＰＳＣＧ，Ｒｅｑｕｉｒｅｄ＝０とする。ここで、ＰＭＣＧおよびＰＳＣＧはそれぞれＭＣＧの電力値とＳＣＧの電力値であり、ＰＲｅｍａｉｎｉｎｇは余剰電力値である。ＰＣＭＡＸ、ＰＭｅＮＢおよびＰＳｅＮＢは前述したパラメータである。また、ＰＭＣＧ，ＲｅｑｕｉｒｅｄおよびＰＳＣＧ，ＲｅｑｕｉｒｅｄはそれぞれＭＣＧ内のチャネルを送信するための要求される総要求電力値とＳＣＧ内のチャネルを送信するための要求される総要求電力値である。なお、ここでは各電力値は線形値とする。
【０１５５】
次に、ＭＣＧにおけるＰＵＣＣＨ，ＳＣＧにおけるＰＵＣＣＨ，ＭＣＧにおけるＵＣＩを含むＰＵＳＣＨ、ＭＣＧにおけるＵＣＩを含まないＰＵＳＣＨ、ＳＣＧにおけるＵＣＩを含まないＰＵＳＣＨの順で、順次、余剰電力を各ＣＧに割り当てていく。このとき、順に各ＣＧに割り当てていく電力量は、基本的には、各チャネルに要求される電力値（ＴＰＣ（Ｔｒａｎｓｍｉｔ  Ｐｏｗｅｒ  Ｃｏｎｔｒｏｌ）コマンドやリソースアサインメントなどに基づく電力値）である。ただし、余剰電力が要求される電力値に満たない場合は、余剰電力のすべてが割り当てられる。ＣＧに電力が割り当てられると、割り当てられた電力分だけ余剰電力が減少する。また、チャネルに要求される電力値をそのＣＧの総要求電力に加算していく。なお、余剰電力が要求される電力値に足りるか否かによらず、要求される電力値を加算する。以下では、より具体的なＣＧ毎電力値算出ステップとして、（ｔ２）から（ｔ９）を説明する。
【０１５６】
ステップ（ｔ２）として、次の演算が行われる。もし、ＭＣＧにおけるＰＵＣＣＨ送信があるならば、ＰＭＣＧ＝ＰＭＣＧ＋δ、ＰＭＣＧ，Ｒｅｑｕｉｒｅｄ＝ＰＭＣＧ，Ｒｅｑｕｉｒｅｄ−ＰＰＵＣＣＨ，ＭＣＧ、ＰＲｅｍａｉｎｉｎｇ＝ＰＲｅｍａｉｎｉｎｇ−δの演算を行う。ここで、δ＝ｍｉｎ（ＰＰＵＣＣＨ，ＭＣＧ，ＰＲｅｍａｉｎｉｎｇ）である。すなわち、ＰＵＣＣＨ送信に要求される電力値を余剰電力からＭＣＧに割り当てる。このとき、余剰電力がＰＵＣＣＨ送信に要求される電力に対して足りない場合には、余剰電力をすべてＭＣＧに割り当てる。ＭＣＧの総要求電力値には、ＰＵＣＣＨ送信に要求される電力値が加算される。ＭＣＧに割り当てた分の電力値は、余剰電力から減算される。
【０１５７】
ステップ（ｔ３）として、次の演算が行われる。もし、ＳＣＧにおけるＰＵＣＣＨ送信があるならば、ＰＳＣＧ＝ＰＳＣＧ＋δ、ＰＳＣＧ，Ｒｅｑｕｉｒｅｄ＝ＰＳＣＧ，Ｒｅｑｕｉｒｅｄ−ＰＰＵＣＣＨ，ＳＣＧ、ＰＲｅｍａｉｎｉｎｇ＝ＰＲｅｍａｉｎｉｎｇ−δの演算を行う。ここで、δ＝ｍｉｎ（ＰＰＵＣＣＨ，ＳＣＧ，ＰＲｅｍａｉｎｉｎｇ）である。すなわち、ＰＵＣＣＨ送信に要求される電力値を余剰電力からＳＣＧに割り当てる。このとき、余剰電力がＰＵＣＣＨ送信に要求される電力に対して足りない場合には、余剰電力をすべてＳＣＧに割り当てる。ＳＣＧの総要求電力値には、ＰＵＣＣＨ送信に要求される電力値が加算される。ＳＣＧに割り当てた分の電力値は、余剰電力から減算される。
【０１５８】
ステップ（ｔ４）として、次の演算が行われる。もし、ＭＣＧにおけるＵＣＩを含むＰＵＳＣＨ送信があるならば、ＰＭＣＧ＝ＰＭＣＧ＋δ、ＰＭＣＧ，Ｒｅｑｕｉｒｅｄ＝ＰＭＣＧ，Ｒｅｑｕｉｒｅｄ−ＰＰＵＳＣＨ，ｊ，ＭＣＧ、ＰＲｅｍａｉｎｉｎｇ＝ＰＲｅｍａｉｎｉｎｇ−δの演算を行う。ここで、δ＝ｍｉｎ（ＰＰＵＳＣＨ，ｊ，ＭＣＧ，ＰＲｅｍａｉｎｉｎｇ）である。すなわち、ＵＣＩを含むＰＵＳＣＨ送信に要求される電力値を余剰電力からＭＣＧに割り当てる。このとき、余剰電力がＵＣＩを含むＰＵＳＣＨ送信に要求される電力に対して足りない場合には、余剰電力をすべてＭＣＧに割り当てる。ＭＣＧの総要求電力値には、ＵＣＩを含むＰＵＳＣＨ送信に要求される電力値が加算される。ＭＣＧに割り当てた分の電力値は、余剰電力から減算される。
【０１５９】
ステップ（ｔ５）として、次の演算が行われる。もし、ＳＣＧにおけるＵＣＩを含むＰＵＳＣＨ送信があるならば、ＰＳＣＧ＝ＰＳＣＧ＋δ、ＰＳＣＧ，Ｒｅｑｕｉｒｅｄ＝ＰＳＣＧ，Ｒｅｑｕｉｒｅｄ−ＰＰＵＳＣＨ，ｊ，ＳＣＧ、ＰＲｅｍａｉｎｉｎｇ＝ＰＲｅｍａｉｎｉｎｇ−δの演算を行う。ここで、δ＝ｍｉｎ（ＰＰＵＳＣＨ，ｊ，ＳＣＧ，ＰＲｅｍａｉｎｉｎｇ）である。すなわち、ＵＣＩを含むＰＵＳＣＨ送信に要求される電力値を余剰電力からＳＣＧに割り当てる。このとき、余剰電力がＵＣＩを含むＰＵＳＣＨ送信に要求される電力に対して足りない場合には、余剰電力をすべてＳＣＧに割り当てる。ＳＣＧの総要求電力値には、ＵＣＩを含むＰＵＳＣＨ送信に要求される電力値が加算される。ＳＣＧに割り当てた分の電力値は、余剰電力から減算される。
【０１６０】
ステップ（ｔ６）として、次の演算が行われる。もし、ＭＣＧにおける１つ以上のＰＵＳＣＨ送信（ＵＣＩを含まないＰＵＳＣＨ送信）があるならば、ＰＭＣＧ＝ＰＭＣＧ＋δ、ＰＭＣＧ，Ｒｅｑｕｉｒｅｄ＝ＰＭＣＧ，Ｒｅｑｕｉｒｅｄ−ΣＰＰＵＳＣＨ，ｃ，ＭＣＧ、ＰＲｅｍａｉｎｉｎｇ＝ＰＲｅｍａｉｎｉｎｇ−δの演算を行う。ここで、δ＝ｍｉｎ（ΣＰＰＵＳＣＨ，ｃ，ＭＣＧ，ＰＲｅｍａｉｎｉｎｇ）である。すなわち、ＰＵＳＣＨ送信に要求される電力値の合計値を余剰電力からＭＣＧに割り当てる。このとき、余剰電力がＰＵＳＣＨ送信に要求される電力の合計値に対して足りない場合には、余剰電力をすべてＭＣＧに割り当てる。ＭＣＧの電力値には、余剰電力から割り当てられた分の電力値が加算される。ＭＣＧの総要求電力値には、ＰＵＳＣＨ送信に要求される電力値の合計値が加算される。ＭＣＧに割り当てた分の電力値は、余剰電力から減算される。
【０１６１】
ステップ（ｔ７）として、次の演算が行われる。もし、ＳＣＧにおける１つ以上のＰＵＳＣＨ送信（ＵＣＩを含まないＰＵＳＣＨ送信）があるならば、ＰＳＣＧ＝ＰＳＣＧ＋δ、ＰＳＣＧ，Ｒｅｑｕｉｒｅｄ＝ＰＳＣＧ，Ｒｅｑｕｉｒｅｄ−ΣＰＰＵＳＣＨ，ｃ，ＳＣＧ、ＰＲｅｍａｉｎｉｎｇ＝ＰＲｅｍａｉｎｉｎｇ−δの演算を行う。ここで、δ＝ｍｉｎ（ΣＰＰＵＳＣＨ，ｃ，ＳＣＧ，ＰＲｅｍａｉｎｉｎｇ）である。すなわち、ＰＵＳＣＨ送信に要求される電力値の合計値を余剰電力からＳＣＧに割り当てる。このとき、余剰電力がＰＵＳＣＨ送信に要求される電力の合計値に対して足りない場合には、余剰電力をすべてＳＣＧに割り当てる。ＳＣＧの電力値には、余剰電力から割り当てられた分の電力値が加算される。ＳＣＧの総要求電力値には、ＰＵＳＣＨ送信に要求される電力値の合計値が加算される。ＳＣＧに割り当てた分の電力値は、余剰電力から減算される。
【０１６２】
ステップ（ｔ８）として、各ＣＧに対する割り当てられた電力値が保障電力以上となっているか（下回っていないか）どうかをチェックする。また、各ＣＧに対する割り当てられた電力値が総要求電力値に一致しているか（下回っていないか）どうか（すなわち、ＣＧ内のチャネルの内、余剰電力値が要求電力値に満たないチャネルが存在していないかどうか）をチェックする。あるＣＧ（ＣＧ１）において保障電力以上となっていない（保障電力を下回っている）場合であって、かつ、総要求電力値に一致していない（総要求電力値を下回っている）場合、もう一方のＣＧ（ＣＧ２）に割り当てられた電力値から、不足分だけを不足しているＣＧ（ＣＧ１）に割り当てる。もう一方のＣＧ（ＣＧ２）の最終的な電力値はその不足分が減算され、結果的にＰＣＭＡＸからＣＧ１の保障電力値を減算した値となる。これにより、あるＣＧにおいて、要求電力を満たしている場合は、保障電力を満たさなくてもよいため、電力を効率的に利用することができる。より具体的な例としては、ステップ（ｔ８−１）およびステップ（ｔ８−２）のような演算が行われる。
ステップ（ｔ８−１）として、もしＰＭＣＧ＜ＰＭｅＮＢであって、かつ、ＰＭＣＧ＜ＰＭＣＧ，Ｒｅｑｕｉｒｅｄであるなら、ＰＭＣＧ＝ＰＭｅＮＢとセットし、ＰＳＣＧ＝ＰＣＭＡＸ−ＰＭＣＧ（つまり、ＰＳＣＧ＝ＰＣＭＡＸ−ＰＭｅＮＢ）とセットする。
ステップ（ｔ８−２）として、もしＰＳＣＧ＜ＰＳｅＮＢであって、かつ、ＰＳＣＧ＜ＰＳＣＧ，Ｒｅｑｕｉｒｅｄであるなら（あるいはステップ（ｔ８−１）の条件を満たさず、かつ、もしＰＳＣＧ＜ＰＳｅＮＢであって、かつ、ＰＳＣＧ＜ＰＳＣＧ，Ｒｅｑｕｉｒｅｄであるなら）、ＰＳＣＧ＝ＰＳｅＮＢとセットし、ＰＭＣＧ＝ＰＣＭＡＸ−ＰＳＣＧ（つまり、ＰＭＣＧ＝ＰＣＭＡＸ−ＰＳｅＮＢ）とセットする。
【０１６３】
ステップ（ｔ９）として、次の演算が行われる。もし、電力計算の対象となっているサブフレームがＭＣＧのサブフレームであるなら、対象となるＣＧに対する最大出力電力値であるＰＣＭＡＸ，ＣＧをＰＣＭＡＸ，ＣＧ＝ＰＭＣＧとセットする。それ以外の場合、つまり、電力計算の対象となっているサブフレームがＳＣＧのサブフレームであるなら、対象となるＣＧに対する最大出力電力値であるＰＣＭＡＸ，ＣＧをＰＣＭＡＸ，ＣＧ＝ＰＳＣＧとセットする。
【０１６４】
このようにして、保障電力および余剰電力から対象となるＣＧにおける最大出力電力値（すなわち、最終的に得られるＰＭＣＧあるいはＰＳＣＧ）を算出することができる。なお、ＭＣＧの電力値、ＳＣＧの電力値、余剰電力、ＭＣＧの総要求電力、ＳＣＧの総要求電力の上記の各ステップにおける初期値としては、それぞれ、一つ前のステップにおける最終値が用いられる。 
【０１６５】
また、ステップ（ｔ８）に替えて、次のようなステップ（ステップ（ｔ１０））を実行してもよい。すなわち、各ＣＧに対する割り当てられた電力値が保障電力以上となっているか（下回っていないか）どうかをチェックする。あるＣＧ（ＣＧ１）において保障電力以上となっていない（保障電力を下回っている）場合は、もう一方のＣＧ（ＣＧ２）に割り当てられた電力値から、不足分だけを不足しているＣＧ（ＣＧ１）に割り当てる。もう一方のＣＧ（ＣＧ２）の最終的な電力値は、その不足分が減算され、結果的にＰＣＭＡＸからＣＧ１の保障電力値を減算した値とＣＧ２の総要求電力値との間の最小値となる。これにより、各ＣＧにおいて、必ず保障電力を確保ことができるため、安定した通信を行うことができる。より具体的な例としては、ステップ（ｔ１０−１）およびステップ（ｔ１０−２）のような演算が行われる。
ステップ（ｔ１０−１）として、もしＰＭＣＧ＜ＰＭｅＮＢであるなら、ＰＭＣＧ＝ＰＭｅＮＢとセットし、ＰＳＣＧ＝ｍｉｎ（ＰＳＣＧ，Ｒｅｑｕｉｒｅｄ，ＰＣＭＡＸ−ＰＭｅＮＢ）とセットする。
ステップ（ｔ１０−２）として、もしＰＳＣＧ＜ＰＳｅＮＢであるなら、ＰＳＣＧ＝ＰＳｅＮＢとセットし、ＰＭＣＧ＝ｍｉｎ（ＰＭＣＧ，Ｒｅｑｕｉｒｅｄ，ＰＣＭＡＸ−ＰＳｅＮＢ）とセットする。
【０１６６】
なお、ここでは、電力割り当ての優先順位として、ＭＣＧにおけるＰＵＣＣＨ，ＳＣＧにおけるＰＵＣＣＨ，ＭＣＧにおけるＵＣＩを含むＰＵＳＣＨ、ＭＣＧにおけるＵＣＩを含まないＰＵＳＣＨ、ＳＣＧにおけるＵＣＩを含まないＰＵＳＣＨの順を用いたが、これに限るものではない。他の優先順位（例えば、前述した優先順位など）を用いることもできる。 
【０１６７】
ここまで、ＣＧ毎の最大出力電力値を決定するための保障電力および残りの電力割り当ての方法について説明した。以下では、ＣＧ毎の最大出力電力値の下でのＣＧ内の電力配分について説明する。
【０１６８】
まず、デュアルコネクティビティが設定されていない場合の電力配分について説明する。下記に示すように、ＰＣＭＡＸを超えるか否かに基いて各物理上りリンクチャネルの電力が決定される。
【０１６９】
もし、端末装置１の総送信電力がＰＣＭＡＸを超えると思われる場合、端末装置１は、Σ（ｗＰＰＵＳＣＨ，ｃ）≦（ＰＣＭＡＸ―ＰＰＵＣＣＨ）という条件を満たすように、サービングセルｃにおけるＰＰＵＳＣＨ，ｃをスケーリングする。ここで、ｗはサービングセルｃに対するスケーリングファクター（電力値に乗算される係数）であり、０以上かつ１以下の値を取る。ＰＵＣＣＨ送信が無い場合は、ＰＰＵＣＣＨ＝０とする。
【０１７０】
もし、端末１があるサービングセルｊでＵＣＩを含むＰＵＳＣＨ送信を行い、残りのサービングセルのうちのいずれかでＵＣＩを含まないＰＵＳＣＨ送信を行う場合であって、かつ、端末装置１の総送信電力がＰＣＭＡＸを超えると思われる場合、端末装置１は、Σ（ｗＰＰＵＳＣＨ，ｃ）≦（ＰＣＭＡＸ―ＰＰＵＳＣＨ、ｊ）という条件を満たすように、ＵＣＩを含まないサービングセルｃにおけるＰＰＵＳＣＨ，ｃをスケーリングする。ただし、左辺は、サービングセルｊ以外のサービングセルｃにおける総和である。ここで、ｗはＵＣＩを含まないサービングセルｃに対するスケーリングファクターである。ここで、Σ（ｗＰＰＵＳＣＨ，ｃ）＝０かつ端末装置１の総送信電力が依然としてＰＣＭＡＸを超える場合でない限り、ＵＣＩを含むＰＵＳＣＨにはパワースケーリングが適用されない。ただし、ｗは、ｗ＞０のときには各サービングセルに対して共通の値であるが、あるサービングセルに対してはｗは零であってもよい。このとき、そのサービングセルにおけるチャネル送信がドロップされることを意味する。
【０１７１】
もし、端末１がＰＵＣＣＨとあるサービングセルｊでＵＣＩを含むＰＵＳＣＨとの同時送信を行い、残りのサービングセルのうちのいずれかでＵＣＩを含まないＰＵＳＣＨ送信を行う場合であって、かつ、端末装置１の総送信電力がＰＣＭＡＸを超えると思われる場合、端末装置１は、ＰＰＵＳＣＨ、ｊ＝ｍｉｎ（ＰＰＵＳＣＨ，ｊ，（ＰＣＭＡＸ―ＰＰＵＣＣＨ））およびΣ（ｗＰＰＵＳＣＨ，ｃ）≦（ＰＣＭＡＸ―ＰＰＵＣＣＨ―ＰＰＵＳＣＨ，ｊ）に基づいて、ＰＰＵＳＣＨ，ｃを得る。すなわち、まずＰＵＣＣＨの電力をリザーブした上で、残りの電力からＵＣＩを含むＰＵＳＣＨの電力を算出する。このとき、ＵＣＩを含むＰＵＳＣＨの要求電力（最初の式の右辺のＰＰＵＳＣＨ，ｊ）よりも残りの電力が多い場合は、ＵＣＩを含むＰＵＳＣＨの要求電力をＵＣＩを含むＰＵＳＣＨの電力（最初の式の左辺のＰＰＵＳＣＨ，ｊすなわちＵＣＩを含むＰＵＳＣＨの実際の電力値）とし、ＵＣＩを含むＰＵＳＣＨの要求電力よりも残りの電力が少ない／等しい場合は、残りの電力の全てをＵＣＩを含むＰＵＳＣＨの電力とする。ＰＵＣＣＨの電力とＵＣＩを含むＰＵＳＣＨの電力を差し引いた残りの電力を、ＵＣＩを含まないＰＵＳＣＨに割り当てる。このとき、必要に応じてスケーリングを行う。
【０１７２】
もし、端末装置１に複数のＴＡＧ（Ｔｉｍｉｎｇ  Ａｄｖａｎｃｅ  Ｇｒｏｕｐ）が設定されており、かつ、１つのＴＡＧにおけるあるサービングセルに対するサブフレームｉにおけるその端末装置１のＰＵＣＣＨ／ＰＵＳＣＨ送信が、他のＴＡＧにおける異なるサービングセルに対するサブフレームｉ＋１のＰＵＳＣＨ送信の最初のシンボルの一部にオーバーラップするなら、その端末装置１は、オーバーラップされたどの部分においてもＰＣＭＡＸを超えないようにその総送信電力を調整する。ここで、ＴＡＧとは、下りリンクの受信タイミングに対する上りリンクの送信タイミングの調整のためのサービングセルのグループである。１つのＴＡＧに１つ以上のサービングセルが属し、１つのＴＡＧにおける１つ以上のサービングセルに対して、共通の調整が適用される。
【０１７３】
もし、端末装置１に複数のＴＡＧが設定されており、かつ、１つのＴＡＧにおけるあるサービングセルに対するサブフレームｉにおけるその端末装置１のＰＵＳＣＨ送信が、他のＴＡＧにおける異なるサービングセルに対するサブフレームｉ＋１のＰＵＣＣＨ送信の最初のシンボルの一部にオーバーラップするなら、その端末装置１は、オーバーラップされたどの部分においてもＰＣＭＡＸを超えないようにその総送信電力を調整する。
【０１７４】
もし、端末装置１に複数のＴＡＧが設定されており、かつ、１つのＴＡＧにおけるあるサービングセルに対するサブフレームｉの１つのシンボルにおけるその端末装置１のＳＲＳ送信が、他のＴＡＧにおける異なるサービングセルに対するサブフレームｉまたはサブフレームｉ＋１のＰＵＣＣＨ／ＰＵＳＣＨ送信にオーバーラップするなら、その端末装置１は、そのシンボルのオーバーラップされたどこかの部分においてその総送信電力がＰＣＭＡＸを超えるならば、そのＳＲＳ送信をドロップする。
【０１７５】
もし、端末装置１に複数のＴＡＧおよび２つより多いサービングセルが設定されており、かつ、あるサービングセルに対するサブフレームｉの１つのシンボルにおけるその端末装置１のＳＲＳ送信が、異なるサービングセルに対するサブフレームｉのＳＲＳ送信および異なるサービングセルに対するサブフレームｉまたはサブフレームｉ＋１のＰＵＣＣＨ／ＰＵＳＣＨ送信にオーバーラップするなら、その端末装置１は、そのシンボルのオーバーラップされたどこかの部分においてその総送信電力がＰＣＭＡＸを超えるならば、そのＳＲＳ送信をドロップする。
【０１７６】
もし、端末装置１に複数のＴＡＧが設定されているなら、上位層によって、セカンダリサービングセルにおけるＰＲＡＣＨ送信が、異なるＴＡＧに属する異なるサービングセルのサブフレームのシンボルにおけるＳＲＳ送信と並行して送信することがリクエストされたとき、端末装置１は、そのシンボルのオーバーラップされたどこかの部分においてその総送信電力がＰＣＭＡＸを超えるならば、そのＳＲＳ送信をドロップする。
【０１７７】
もし、端末装置１に複数のＴＡＧが設定されているなら、上位層によって、セカンダリサービングセルにおけるＰＲＡＣＨ送信が、異なるＴＡＧに属する異なるサービングセルのサブフレームにおけるＰＵＳＣＨ／ＰＵＣＣＨ送信と並行して送信することがリクエストされたとき、端末装置１は、オーバーラップされた部分においてその総送信電力がＰＣＭＡＸを超えないように、ＰＵＳＣＨ／ＰＵＣＣＨの送信電力を調整する。
【０１７８】
次に、デュアルコネクティビティが設定されている場合のＣＧ内の電力配分について説明する。下記に示すように、それぞれのＣＧにおいて、ＰＣＭＡＸ，ＣＧを超えるか否かに基いて、ＣＧ内の各物理上りリンクチャネルの電力が決定される。
【０１７９】
もし、端末装置１のあるＣＧにおける総送信電力がＰＣＭＡＸ，ＣＧを超えると思われる場合、端末装置１は、ＰＰＵＣＣＨ＝ｍｉｎ（ＰＰＵＣＣＨ，ＰＣＭＡＸ，ＣＧ）およびΣ（ｗＰＰＵＳＣＨ，ｃ）≦（ＰＣＭＡＸ，ＣＧ―ＰＰＵＣＣＨ）という条件を満たすように、そのＣＧにおけるサービングセルｃにおけるＰＰＵＳＣＨ，ｃをスケーリングする。すなわち、ＰＵＣＣＨの要求電力（最初の式の右辺のＰＰＵＣＣＨ）よりもそのＣＧの最大出力電力値が多い場合は、ＰＵＣＣＨの要求電力をＰＵＣＣＨの電力（最初の式の左辺のＰＰＵＣＣＨすなわちＰＵＣＣＨの実際の電力値）としてセットし、ＰＵＣＣＨの要求電力よりもそのＣＧの最大出力電力値が少ない／等しい場合は、そのＣＧの最大出力電力値の全てをＰＵＣＣＨの電力としてセットする。ＰＵＣＣＨの電力をＰＣＭＡＸ，ＣＧから差し引いた残りの電力を、ＰＵＳＣＨに割り当てる。このとき、必要に応じてスケーリングを行う。そのＣＧにおけるＰＵＣＣＨ送信が無い場合は、ＰＰＵＣＣＨ＝０とする。なお、２番目の式の右辺のＰＰＵＣＣＨは最初の式で算出されたＰＰＵＣＣＨである。
【０１８０】
もし、端末１があるＣＧにおけるあるサービングセルｊでＵＣＩを含むＰＵＳＣＨ送信を行い、そのＣＧにおける残りのサービングセルのうちのいずれかでＵＣＩを含まないＰＵＳＣＨ送信を行う場合であって、かつ、端末装置１のそのＣＧにおける総送信電力がＰＣＭＡＸ，ＣＧを超えると思われる場合、端末装置１は、ＰＰＵＳＣＨ，ｊ＝ｍｉｎ（ＰＰＵＳＣＨ，ｊ，（ＰＣＭＡＸ，ＣＧ―ＰＰＵＣＣＨ））およびΣ（ｗＰＰＵＳＣＨ，ｃ）≦（ＰＣＭＡＸ，ＣＧ―ＰＰＵＳＣＨ，ｊ）という条件を満たすように、ＵＣＩを含まないサービングセルｃにおけるＰＰＵＳＣＨ，ｃをスケーリングする。ただし、２番目の式の左辺は、サービングセルｊ以外のサービングセルｃにおける総和である。なお、２番目の式の右辺のＰＰＵＳＣＨ，ｊは最初の式で算出されたＰＰＵＳＣＨ，ｊである。
【０１８１】
もし、あるＣＧにおいて、端末１がＰＵＣＣＨとあるサービングセルｊでＵＣＩを含むＰＵＳＣＨとの同時送信を行い、残りのサービングセルのうちのいずれかでＵＣＩを含まないＰＵＳＣＨ送信を行う場合であって、かつ、端末装置１のそのＣＧにおける総送信電力がＰＣＭＡＸ，ＣＧを超えると思われる場合、端末装置１は、ＰＰＵＣＣＨ＝ｍｉｎ（ＰＰＵＣＣＨ，ＰＣＭＡＸ，ＣＧ）およびＰＰＵＳＣＨ，ｊ＝ｍｉｎ（ＰＰＵＳＣＨ，ｊ，（ＰＣＭＡＸ，ＣＧ―ＰＰＵＣＣＨ））およびΣ（ｗＰＰＵＳＣＨ，ｃ）≦（ＰＣＭＡＸ，ＣＧ―ＰＰＵＣＣＨ―ＰＰＵＳＣＨ，ｊ）に基づいて、ＰＰＵＳＣＨ，ｃを得る。すなわち、まずそのＣＧの最大出力電力からＰＵＣＣＨの電力をリザーブした上で、残りの電力からＵＣＩを含むＰＵＳＣＨの電力を算出する。このとき、ＰＵＣＣＨの要求電力よりもそのＣＧの最大出力電力が大きい場合は、ＰＵＣＣＨの要求電力をＰＵＣＣＨの送信電力としてセットし、ＰＵＣＣＨの要求電力よりもそのＣＧの最大出力電力が小さい／等しい場合は、そのＣＧの最大出力電力のＰＵＣＣＨの送信電力としてセットする。同様に、ＵＣＩを含むＰＵＳＣＨの要求電力よりも残りの電力が多い場合は、ＵＣＩを含むＰＵＳＣＨの要求電力をＵＣＩを含むＰＵＳＣＨの送信電力としてセットし、ＵＣＩを含むＰＵＳＣＨの要求電力よりも残りの電力が少ない／等しい場合は、残りの電力の全てをＵＣＩを含むＰＵＳＣＨの送信電力としてセットする。ＰＵＣＣＨの電力とＵＣＩを含むＰＵＳＣＨの電力を差し引いた残りの電力を、ＵＣＩを含まないＰＵＳＣＨに割り当てる。このとき、必要に応じてスケーリングを行う。
【０１８２】
複数のＴＡＧが設定される場合の電力調整あるいはＳＲＳのドロップに関しては、デュアルコネクティビティが設定されていない場合と同様の処理を行ってもよい。この場合、ＣＧ内の複数のＴＡＧに対して同様の処理を行うとともに、異なるＣＧにおける複数のＴＡＧに対しても同様の処理を行うことが好ましい。あるいは、下記の処理を行ってもよい。または、これらの両方を行ってもよい。
【０１８３】
もし、端末装置１に１つのＣＧ内で複数のＴＡＧが設定されており、かつ、そのＣＧ内の１つのＴＡＧにおけるあるサービングセルに対するサブフレームｉにおけるその端末装置１のＰＵＣＣＨ／ＰＵＳＣＨ送信が、そのＣＧ内の他のＴＡＧにおける異なるサービングセルに対するサブフレームｉ＋１のＰＵＳＣＨ送信の最初のシンボルの一部にオーバーラップするなら、その端末装置１は、オーバーラップされたどの部分においてもそのＣＧのＰＣＭＡＸ，ＣＧを超えないようにその総送信電力を調整する。
【０１８４】
もし、端末装置１に１つのＣＧ内で複数のＴＡＧが設定されており、かつ、そのＣＧ内の１つのＴＡＧにおけるあるサービングセルに対するサブフレームｉにおけるその端末装置１のＰＵＳＣＨ送信が、そのＣＧ内の他のＴＡＧにおける異なるサービングセルに対するサブフレームｉ＋１のＰＵＣＣＨ送信の最初のシンボルの一部にオーバーラップするなら、その端末装置１は、オーバーラップされたどの部分においてもそのＣＧのＰＣＭＡＸ，ＣＧを超えないようにその総送信電力を調整する。
【０１８５】
もし、端末装置１に１つのＣＧ内で複数のＴＡＧが設定されており、かつ、そのＣＧ内の１つのＴＡＧにおけるあるサービングセルに対するサブフレームｉの１つのシンボルにおけるその端末装置１のＳＲＳ送信が、そのＣＧ内の他のＴＡＧにおける異なるサービングセルに対するサブフレームｉまたはサブフレームｉ＋１のＰＵＣＣＨ／ＰＵＳＣＨ送信にオーバーラップするなら、その端末装置１は、そのシンボルのオーバーラップされたどこかの部分においてその総送信電力がそのＣＧのＰＣＭＡＸ，ＣＧを超えるならば、そのＳＲＳ送信をドロップする。
【０１８６】
もし、端末装置１に１つのＣＧ内で複数のＴＡＧおよび２つより多いサービングセルが設定されており、かつ、そのＣＧ内のあるサービングセルに対するサブフレームｉの１つのシンボルにおけるその端末装置１のＳＲＳ送信が、そのＣＧ内の異なるサービングセルに対するサブフレームｉのＳＲＳ送信およびそのＣＧ内の異なるサービングセルに対するサブフレームｉまたはサブフレームｉ＋１のＰＵＣＣＨ／ＰＵＳＣＨ送信にオーバーラップするなら、その端末装置１は、そのシンボルのオーバーラップされたどこかの部分においてその総送信電力がそのＣＧのＰＣＭＡＸ，ＣＧを超えるならば、そのＳＲＳ送信をドロップする。
【０１８７】
もし、端末装置１に１つのＣＧ内で複数のＴＡＧが設定されているなら、上位層によって、そのＣＧ内のセカンダリサービングセルにおけるＰＲＡＣＨ送信が、そのＣＧ内の異なるＴＡＧに属する異なるサービングセルのサブフレームのシンボルにおけるＳＲＳ送信と並行して送信することがリクエストされたとき、端末装置１は、そのシンボルのオーバーラップされたどこかの部分においてその総送信電力がそのＣＧのＰＣＭＡＸ，ＣＧを超えるならば、そのＳＲＳ送信をドロップする。
【０１８８】
もし、端末装置１に１つのＣＧ内で複数のＴＡＧが設定されているなら、上位層によって、そのＣＧ内のセカンダリサービングセルにおけるＰＲＡＣＨ送信が、そのＣＧ内の異なるＴＡＧに属する異なるサービングセルのサブフレームにおけるＰＵＳＣＨ／ＰＵＣＣＨ送信と並行して送信することがリクエストされたとき、端末装置１は、オーバーラップされた部分においてその総送信電力がそのＣＧのＰＣＭＡＸ，ＣＧを超えないように、ＰＵＳＣＨ／ＰＵＣＣＨの送信電力を調整する。
【０１８９】
このように、デュアルコネクティビティが設定された場合においても、セルグループの間で、効率的に送信電力の制御を行うことができる。
【０１９０】
なお、上記実施形態では、各ＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドに基づく値などに基づいて算出されるものとして説明した。また各ＰＵＣＣＨ送信に要求される電力値は、上位層により設定されるパラメータ、下りリンクパスロス、そのＰＵＣＣＨで送信されるＵＣＩによって決まる調整値、ＰＵＣＣＨフォーマットによって決まる調整値。そのＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０１９１】
なお、上記実施形態では、サービングセルをコネクティビティグループにグループ化する場合について説明したが、これに限るものではない。例えば、複数のサービングセルにおいて、下りリンク信号のみをグループ化したり、上りリンク信号のみをグループ化したりすることができる。この場合、コネクティビティ識別子は下りリンク信号あるいは上りリンク信号に対して設定される。また、下りリンク信号と上りリンク信号とを個別にグループ化することができる。この場合、コネクティビティ識別子は下りリンク信号と上りリンク信号に対してそれぞれ個別に設定される。あるいは、下りリンクコンポーネントキャリアをグループ化したり、上りリンクコンポーネントキャリアをグループ化したりすることができる。この場合、コネクティビティ識別子は各コンポーネントキャリアに対してそれぞれ個別に設定される。
【０１９２】
また、上記各実施形態では、コネクティビティグループを用いて説明したが、必ずしも同一の基地局装置（送信点）により提供されるサービングセルの集合をコネクティビティグループで規定する必要はない。コネクティビティグループに替えて、コネクティビティ識別子やセルインデクスを用いて規定することもできる。例えば，コネクティビティ識別子で規定する場合、上記各実施形態におけるコネクティビティグループは、同一のコネクティビティ識別子の値を持つサービングセルの集合と言い換えることができる。あるいは、セルインデクスで規定する場合、上記各実施形態におけるコネクティビティグループは、セルインデクスの値が所定値（あるいは所定範囲）であるサービングセルの集合と言い換えることができる。
【０１９３】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０１９４】
本発明に関わる基地局装置２−１あるいは基地局装置２−２、および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０１９５】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９６】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９８】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０１９９】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０２００】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０１】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２０２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２０３】
本発明は、携帯電話、パーソナル・コンピュータ、タブレット型コンピュータその他の通信機器、電子機器などに適用できる。
【符号の説明】
【０２０４】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
0006587612.tif 000002
【図２】
0006587612.tif 000003
【図３】
0006587612.tif 000004
【図４】
0006587612.tif 000005
【図５】
0006587612.tif 000006
【図６】
0006587612.tif 000007
【図７】
0006587612.tif 000008
【図８】
0006587612.tif 000009
【図９】
0006587612.tif 000010
【図１０】
0006587612.tif 000011
【図１１】
0006587612.tif 000012
【図１２】
0006587612.tif 000013